(57)【要約】    【課題】  当選抽選手段の抽選結果がある程度予測可能にすることにより、図柄表示装置の演出以外に、遊技者に対し興味を抱かせる演出を行うことができる弾球遊技機を提供する。    【解決手段】  遊技領域10に、始動入賞口12と、始動入賞口12の下方に位置する導入通路41と、導入通路41に連設され遊技球の通路を分岐させる分岐部43と、分岐部43に連設された第1落下通路45及び第２落下通路47と、第１落下通路45と第２落下通路47とを振り分ける振分装置40とを備え、第1落下通路45及び第2落下通路47の少なくとも一部は、その中を通る遊技球が視認可能に形成され、振分装置40は、当選抽選手段の抽選結果が、当選のときには遊技球を第２落下通路45に多く振り分け、非当選のときには第１落下通路47に多く振り分けるようにした。    【選択図】  図３
2007202961.tif 000002
【特許請求の範囲】
【請求項１】
遊技領域が形成された遊技盤と、
遊技領域に位置し、遊技球が入球可能な始動入賞口と、
遊技領域に位置し、所定の条件のときに開放することにより、遊技球が入球可能な大入賞口と、
弾球遊技機の制御を行う遊技制御装置とを備え、
遊技制御装置は、
始動入賞口への遊技球の入球を契機に、遊技における当選又は非当選を決定するための抽選を行う当選抽選手段と、
当選抽選手段の抽選結果に基づき大入賞口を開放することにより、通常行っている遊技よりも単位時間当たりの出球を多くする特別遊技を制御する特別遊技制御手段とを有し、
遊技領域には、
始動入賞口の下方にあって、始動入賞口を通過した遊技球が挿通可能な導入通路と、
導入通路の下端に連設され、遊技球の通路を分岐させる分岐部と、
分岐部に連設され、分岐部から所定の位置に遊技球を導く第1落下通路と、
分岐部に連設され、分岐部から第１落下通路とは異なる位置に遊技球を導く第2落下通路と、
分岐部に設けられ、導入通路を通って分岐部に至った遊技球を、第１落下通路又は第2落下通路のいずれか一方へ誘導するための振分装置とが備えられ、
第1落下通路及び第2落下通路の少なくとも一部は、その中を通る遊技球が視認可能に形成され、
遊技制御装置には、振分装置の動作を制御するための振分装置制御手段を有し、
振分装置制御手段は、当選抽選手段の抽選結果に基づいて、当選時には遊技球を第２落下通路に多く振り分け、非当選時には遊技球を第１落下通路に多く振り分けるように、振分装置の動作を制御することを特徴とする弾球遊技機。
【請求項２】
遊技領域が形成された遊技盤と、
遊技領域に位置し、遊技球が入球可能な始動入賞口と、
遊技領域に位置し、所定の条件のときに開放することにより、遊技球が入球可能な大入賞口と、
弾球遊技機の制御を行う遊技制御装置とを備え、
遊技制御装置は、
始動入賞口への遊技球の入球を契機に、遊技における当選又は非当選を決定するための抽選を行う当選抽選手段と、
当選抽選手段の抽選結果に基づき大入賞口を開放することにより、通常行っている遊技よりも単位時間当たりの出球を多くする特別遊技を制御する特別遊技制御手段とを有し、
遊技領域には、
遊技領域の中央上部に位置する、始動入賞口としての上部始動入賞口と、
遊技領域の中央下部に位置する、始動入賞口としての下部始動入賞口と、
上部始動入賞口の下方にあって、上部始動入賞口を通過した遊技球が挿通可能な導入通路と、
導入通路の下端に連設され、遊技球の通路を分岐させる分岐部と、
分岐部に連設され、分岐部から所定の位置に遊技球を導く第1落下通路と、
分岐部に連設され、分岐部から第１落下通路とは異なる位置に遊技球を導く第2落下通路と、
分岐部に設けられ、導入通路を通って分岐部に至った遊技球を、第１落下通路又は第2落下通路のいずれか一方へ誘導するための振分装置とが備えられ、
第1落下通路及び第2落下通路の少なくとも一部は、その中を通る遊技球が視認可能に形成され、
遊技制御装置には、振分装置の動作を制御するための振分装置制御手段を有し、
振分装置制御手段は、当選抽選手段の抽選結果に基づいて、当選時には遊技球を第２落下通路に多く振り分け、非当選時には遊技球を第１落下通路に多く振り分けるように、振分装置の動作を制御することを特徴とする弾球遊技機。
【請求項３】
遊技領域には、当選抽選手段の抽選結果が表示される装飾図柄表示装置が備えられ、
遊技制御装置は、
遊技球が始動入賞口に入球してから、この入球に対応する当選抽選手段の抽選結果が、装飾図柄表示装置に表示されるまでに、次の遊技球が始動入賞口に入球した場合に、次の入球に対応する当選抽選手段の抽選結果に関する情報を、所定の個数、記憶する保留制御手段を備え、
保留制御手段は、遊技球が上部始動入賞口に入球した場合の当選抽選手段の抽選結果に関する情報を記憶する第１保留制御手段と、遊技球が下部始動入賞口に入球した場合の当選抽選手段の抽選結果に関する情報を記憶する第２保留制御手段とを備えていることを特徴とする請求項２記載の弾球遊技機。
【請求項４】
振分装置制御手段は、第１保留制御手段及び第２保留制御手段の少なくとも一方に記憶される当選抽選手段の抽選結果に関する情報が、所定の個数に達した場合に、全ての遊技球を第１落下通路又は第２落下通路のいずれか一方に振り分けるように、振分装置の動作を制御することを特徴とする請求項３記載の弾球遊技機。
【請求項５】
特別遊技の当選確率が一定の遊技を、通常遊技とし、
特別遊技の当選確率が通常遊技よりも高い遊技を、確率変動遊技とし、
遊技制御装置は、確率変動遊技を制御するための確率変動遊技制御手段を備え、
振分装置制御手段は、確率変動遊技の場合に、全ての遊技球を第１落下通路又は第２落下通路のいずれか一方に振り分けるように、振分装置の動作を制御することを特徴とする請求項１、２、３又は４記載の弾球遊技機。
【発明の詳細な説明】
【技術分野】
【０００１】
この発明は、弾球遊技機に関し、更に詳しくは、始動入賞口に入球した遊技球が導かれる２つの落下通路と、いずれか一方の落下通路に遊技球を振り分ける振分装置とを有する弾球遊技機に関する。
【背景技術】
【０００２】
従来より、パチンコ等の弾球遊技機においては、遊技領域に設けられている始動入賞口に遊技球が入ると、それを契機に大当たり等の抽選が行われている。そして、その抽選結果に基づいて、遊技領域内に設けられている図柄表示装置が、図柄の変動表示及び停止表示等の抽選結果に付随する演出表示を行っている。
また、特許文献１に開示されているパチンコ機の発明では、始動入賞口に入賞した遊技球を保留しておき、保留した遊技球を用いて抽選結果を機械的に演出表示するようになっている。このようなパチンコ機によれば、図柄表示装置等の画面表示のみによって演出表示する場合に比べ、抽選過程が遊技者に分かり易く、興趣性の高い演出を行うことができるとされている。
【特許文献１】特開２００１−１６１８９２号公報
【発明の開示】
【発明が解決しようとする課題】
【０００３】
しかし、上記した、従来のパチンコ機で用いられている図柄表示装置による演出表示は、通常行われており、このような演出表示のみでは、興趣性が低かった。
また、通常、始動入賞口は、図柄表示装置よりも下側に位置している。また、近年のパチンコ機においては、図柄表示装置が大きくなっている。したがって、図柄表示装置よりも下側の位置に始動入賞口があると、遊技者が遊技球を遊技領域に発射するときに始動入賞口を狙いにくい。この場合、遊技者が遊技球を発射するときに狙いどころがないと、興趣性に乏しいという問題があった。
また、特許文献１記載の発明においては、抽選過程を入賞した遊技球を一旦保留することにより、機械的に演出表示を行っている。しかし、抽選過程を遊技者に表示する点においは、電気的に演出表示を行っている場合と同様であって、興趣性をさほど高めるほどではなかった。また、特許文献１記載の発明においても、上述した、遊技領域内において、遊技者が、発射する遊技球を狙う場所がないという問題は解決していない。
【０００４】
そこで、本発明は、上記状況に鑑み以下の点を目的とする。
（請求項１）
すなわち、請求項１記載の発明は、遊技領域に、始動入賞口と、始動入賞口の下方に位置する導入通路と、導入通路に連設され遊技球の通路を分岐させる分岐部と、分岐部に連設した第1落下通路及び第２落下通路と、第１落下通路又は第２落下通路のいずれか一方へ遊技球を振り分ける振分装置とを備え、第1落下通路及び第2落下通路の少なくとも一部を、その中を通る遊技球が視認可能に形成し、振分装置は、当選時に遊技球を第２落下通路に多く振り分け、非当選時には第１落下通路に多く振り分けるようにしたので、遊技球がどちらの通路に振り分けられるかを視認することにより、当選抽選手段の抽選結果をある程度予測可能し、図柄表示装置の演出以外に、遊技者が興味を抱く演出を行うことができる弾球遊技機を提供することを目的とする。
【０００５】
（請求項２）
すなわち、請求項２記載の発明は、遊技領域の中央上部に始動入賞口を備えることにより、遊技領域に、遊技者が遊技球を打ち込む狙いどころを分かり易く示すことができ、これにより、遊技に対する興味を遊技者に抱かせるとともに、中央上部の始動入賞口の下方に位置する導入通路と、導入通路に連設され遊技球の通路を分岐させる分岐部と、分岐部に連設した第1落下通路及び第２落下通路と、第１落下通路又は第２落下通路のいずれか一方へ遊技球を振り分ける振分装置とを備え、第1落下通路及び第2落下通路の少なくとも一部を、その中を通る遊技球が視認可能に形成し、振分装置は、当選時に遊技球を第２落下通路に多く振り分け、非当選時には第１落下通路に多く振り分けるようにしたので、遊技球がどちらの通路に振り分けられるかを視認することにより、当選抽選手段の抽選結果をある程度予測可能し、図柄表示装置の演出以外に、遊技者が興味を抱く演出を行うことができる弾球遊技機を提供することを目的とする。
【０００６】
（請求項３）
すなわち、請求項３記載の発明は、当選抽選手段の抽選結果を表示する装飾図柄表示装置を備え、当選抽選手段の抽選結果が装飾図柄表示装置に表示されるまでに、次の遊技球が入球した場合に、当選抽選手段の抽選結果に関する情報を、所定の個数、記憶する保留制御手段を備え、保留制御手段は、上部始動入賞口及び下部始動入賞口ごとに、当選抽選手段の抽選結果を記憶するようにしたので、上部始動入賞口、又は下部始動入賞口のうち、どちらか一方の、保留制御手段が記憶する当選抽選手段の抽選結果が、所定の個数に達した場合であっても、遊技者が、所定の個数に達していない他方の始動入賞口を狙うことができるようになり、遊技者の遊技に対する興味を抱かせる弾球遊技機を提供することを目的とする。
【０００７】
（請求項４）
すなわち、請求項４記載の発明は、保留制御手段が記憶する当選抽選手段の抽選結果に関する情報が、所定の個数に達した場合に、全ての遊技球を第１落下通路又は第２落下通路のいずれか一方に振り分けるようにしたので、保留制御手段の記憶する、抽選結果に関する情報が所定の個数に達したことを遊技者に示唆することができる弾球遊技機を提供することを目的とする。
（請求項５）
すなわち、請求項５記載の発明は、確率変動遊技の場合に、全ての遊技球を第１落下通路又は第２落下通路のいずれか一方に振り分けるようにしたので、確率変動遊技時であることを遊技者に示唆することができ、遊技者の遊技に対する興味を抱かせる弾球遊技機を提供することを目的とする。
【課題を解決するための手段】
【０００８】
各請求項にそれぞれ記載された発明は、上記の目的を達成するためになされたものである。なお、符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、遊技領域10が形成された遊技盤7と、遊技領域10に位置し、遊技球が入球可能な始動入賞口12と、遊技領域10に位置し、所定の条件のときに開放することにより、遊技球が入球可能な大入賞口13と、弾球遊技機の制御を行う遊技制御装置100とを備え、遊技制御装置100は、始動入賞口12への遊技球の入球を契機に、遊技における当選又は非当選を決定するための抽選を行う当選抽選手段110と、当選抽選手段110の抽選結果に基づき大入賞口13を開放することにより、通常行っている遊技よりも単位時間当たりの出球を多くする特別遊技を制御する特別遊技制御手段180とを有し、遊技領域10には、始動入賞口12の下方にあって、始動入賞口12を通過した遊技球が挿通可能な導入通路41と、導入通路41の下端に連設され、遊技球の通路を分岐させる分岐部43と、分岐部43に連設され、分岐部43から所定の位置に遊技球を導く第1落下通路45と、分岐部43に連設され、分岐部43から第１落下通路45とは異なる位置に遊技球を導く第２落下通路47と、分岐部43に設けられ、導入通路41を通って分岐部43に至った遊技球を、第１落下通路45又は第2落下通路47のいずれか一方へ誘導するための振分装置40とが備えられ、第1落下通路45及び第２落下通路47の少なくとも一部は、その中を通る遊技球が視認可能に形成され、遊技制御装置100には、振分装置40の動作を制御するための振分装置制御手段210を有し、振分装置制御手段210は、当選抽選手段110の抽選結果に基づいて、当選時には遊技球を第２落下通路47に多く振り分け、非当選時には遊技球を第１落下通路45に多く振り分けるように、振分装置40の動作を制御することを特徴とする。
【０００９】
ここで、「弾球遊技機」とは、遊技球を用いて遊技を行うパチンコ機PM等をいう。
ここで、「遊技盤7」には、その前面に遊技領域10が形成されている。
また、「始動入賞口12」は、遊技領域10に位置し、遊技球が入球可能に形成されている。始動入賞口12に遊技球が入球すると、後述する遊技制御装置100へ落入信号が出力される。すると、後述する当選抽選手段110により、当選又は非当選の抽選が行われる。
また、「大入賞口13」は、所定の条件のときに開放することにより、遊技球が入球可能に形成されている。大入賞口13は、具体的には、例えば、遊技球を取り込むように形成する開口部と、開口部を閉塞可能に形成する扉部材と、扉部材を開閉可能に動作する大入賞口ソレノイド13bとを備える。また、大入賞口13の開口部は、一般入賞口11よりも大きく形成する。これにより、大入賞口13は、開口部を開放することにより、多くの遊技球を取り込むことができる。また、大入賞口ソレノイド13bは、遊技制御装置100により、所定の条件のときに、扉部材を動作させ、開口部の開閉を行うように制御する。例えば、遊技制御装置100は、通常遊技時には、開口部を閉止し、特別遊技時には、開口部を開放するように、大入賞口ソレノイド13bの動作を制御する。
【００１０】
また、「遊技制御装置100」とは、弾球遊技機の制御を行うものである。また、遊技制御装置100は、当選抽選手段110、特別遊技制御手段180等を有している。
また、「当選抽選手段110」とは、始動入賞口12への入球を契機に、遊技における当選又は非当選を決定するための抽選を行うものである。当選とは、例えば、特別遊技への移行にかかる抽選結果をいう。
また、「特別遊技制御手段180」とは、特別遊技を制御するためのものである。特別遊技とは、当選抽選手段110の抽選結果に基づき大入賞口13の開口部を開放することにより、通常行っている遊技よりも単位時間当たりの出球を多くする遊技でる。
【００１１】
また、「導入通路41」は、始動入賞口12の下方にあり、始動入賞口12を通過した遊技球が挿通可能に形成されている。導入通路41は、具体的には、例えば、導入通路部材41aにより形成することができる。
また、「分岐部43」は、導入通路41の下端に連設され、遊技球の通路を分岐させている。分岐部43は、具体的には、例えば、分岐部材44により形成できる。分岐部材44は、導入通路部材41aの下端に連設し、下方向へ向けて延びる分岐前部44aと、分岐前部44aの下端に連設し、左下方向へ向けて延びる左分岐部44bと、分岐前部44aの下端に連設し、右下方向へ向けて延びる右分岐部44cとを有する。また、分岐部材44は、左分岐部44bと右分岐部44cとが接している箇所である又部44dを有している。また、分岐前部44aは、遊技盤7と装飾板21との間に、下方へ向けて遊技球を誘導する分岐前通路を形成するためのものである。また、左分岐部44bは、遊技盤7と装飾板21との間に、左斜め下方へ向けて遊技球を誘導する左分岐通路を形成するためのものである。また、右分岐部44cは、遊技盤7と装飾板21との間に、右斜め下方へ向けて遊技球を誘導する右分岐通路を形成するためのものである。また、分岐前部44a、左分岐部44b及び右分岐部44cは、連続して形成される。また、分岐前通路と左分岐通路と右分岐通路とにより、分岐部43が形成される。そして、分岐前通路と左分岐通路と右分岐通路とが連続して滑らかに形成されることにより、分岐部43における遊技球の滑らかな挿通を可能にしている。
【００１２】
また、「第１落下通路45」は、分岐部43に連設され、所定の位置に遊技球を導くように形成されている。具体的には、例えば、第１落下通路45を、左分岐通路に連設し、分岐部43の左下方に遊技球を導くように形成することができる。
また、「第２落下通路47」は、分岐部43に連設され、第１落下通路45とは異なる位置に遊技球を導くように形成されている。具体的には、例えば、第２落下通路47を、右分岐通路に連設し、分岐部43の右下方に遊技球を導くように形成することができる。
また、第１落下通路45及び第２落下通路47の少なくとも一部は、その中を通る遊技球が、遊技者から視認可能に形成されている。例えば、第１落下通路45又は第２落下通路47は、第１落下通路45又は第２落下通路47を形成する部材の少なくとも一部に、透明な合成樹脂等のプラスチックやガラス等を用いることにより、その中を誘導される遊技球を視認可能に形成することができる。「第１落下通路45及び第２落下通路47の少なくとの一部は、その中を通る遊技球が、遊技者から視認可能に形成され」とは、具体的には、例えば、以下のような場合が考えられる。
（１）第１落下通路45の一部は、その中を通る遊技球が、遊技者から視認可能に形成され、かつ、第２落下通路47の全部は、その中を通る遊技球が、遊技者から視認不能に形成されている場合。
（２）第１落下通路45の一部は、その中を通る遊技球が、遊技者から視認可能に形成され、かつ、第２落下通路47の一部は、その中を通る遊技球が、遊技者から視認可能に形成されている場合。
（３）第１落下通路45の一部は、その中を通る遊技球が、遊技者から視認可能に形成され、かつ、第２落下通路47の全部は、その中を通る遊技球が、遊技者から視認可能に形成されている場合。
（４）第１落下通路45の全部は、その中を通る遊技球が、遊技者から視認可能に形成され、かつ、第２落下通路47の全部は、その中を通る遊技球が、遊技者から視認不能に形成されている場合。
（５）第１落下通路45の全部は、その中を通る遊技球が、遊技者から視認可能に形成され、かつ、第２落下通路47の一部は、その中を通る遊技球が、遊技者から視認可能に形成されている場合。
（６）第１落下通路45の全部部は、その中を通る遊技球が、遊技者から視認可能に形成され、かつ、第２落下通路47の全部は、その中を通る遊技球が、遊技者から視認可能に形成されている場合。
（７）第１落下通路45の全部は、その中を通る遊技球が、遊技者から視認不能に形成され、かつ、第２落下通路47の一部は、その中を通る遊技球が、遊技者から視認可能に形成されている場合。
（８）第１落下通路45の全部部は、その中を通る遊技球が、遊技者から視認不能に形成され、かつ、第２落下通路47の全部は、その中を通る遊技球が、遊技者から視認可能に形成されている場合。
【００１３】
また、始動入賞口12、導入通路41、分岐部43、第１落下通路45及び第２落下通路47は、一体的に形成しても良いし、それぞれ別々に形成して、あとから繋ぎ合わせても良い。
また、「振分装置40」は、分岐部43に設けられている。また、振分装置40は、導入通路41を通って分岐部43に至った遊技球を、第１落下通路45又は第2落下通路47のいずれか一方に誘導する。振分装置40は、具体的には、例えば、以下のように形成することができる。振分装置40は、振分部材40aとソレノイドとを有する。振分部材40aは、軸部40cと、軸部40cから延びる塞部40bとを有する。振分部材40aは、軸部40cが下方を、塞部40bが上方を向くように分岐部43に配設される。また、分岐部43の又部44d付近には、揺動軸を設ける。また、振分部材40aは、軸部40cを、揺動可能な状態で揺動軸にに軸支させる。これにより、振分部材40aは、揺動軸を中心に、塞部40bを左右に揺振させることができる。そして、塞部40bが左へ揺動し、左の所定の位置に達した場合、塞部40bが左分岐部44bを塞ぎ、第１落下通路45への遊技球の入球を阻止するようにする。これにより、遊技球を第２落下通路47へ誘導することが可能になる。また、塞部40bが右へ揺動し、右の所定の位置に達した場合、塞部40bが右分岐部44cを塞ぎ、第２落下通路47への遊技球の入球を阻止するようにする。このようにして、遊技球を第１落下通路45へ誘導することが可能になる。これにより、遊技球の振り分けが可能になる。
【００１４】
また、振分装置40は、例えば、以下のように形成しても良い。分岐部43付近の遊技盤7の裏側に、ソレノイドを取り付ける。ソレノイドは、プランジャを備える。ソレノイドは、プランジャが、遊技盤7の裏面と平行で、かつ、左右方向へ向けて動くように、遊技盤7の裏面に取り付ける。プランジャの先端付近には、釘42を取り付ける。釘42は、前方向へ向けて突出するように形成する。また、プランジャの先端付近に取り付けられた釘42は、プランジャが動くことにより、分岐部43内を左右方向の所定の位置へ動くようにする。また、この釘42が、左方向の所定の位置に移動すると、左分岐部44bを塞ぐようにする。これにより、第１落下通路45への遊技球の入球を阻止し、遊技球を第２落下通路47へ誘導することが可能になる。また、釘42が、右方向の所定の位置に移動すると、右分岐部44cを塞ぐようにする。これにより、第２落下通路47への遊技球の入球を阻止し、遊技球を第１落下通路45へ誘導することが可能になる。これにより、遊技球の振り分けが可能になる。
【００１５】
また、振分装置40は、振分装置制御手段210により制御されている。
また、「振分装置制御手段210」は、当選抽選手段110の抽選結果に基づき、当選時には遊技球を第２落下通路47に多く振り分け、非当選時には遊技球を第１落下通路45に多く振り分けるように制御する。
また、振分装置制御手段210は、具体的には、例えば、以下のように形成できる。振分装置制御手段210は、振分装置40のソレノイドに電気信号を送ることにより、揺動軸を中心に、振分部材40aの塞部40bを左右に揺振させて、遊技球の振り分けを可能とすることができる。また、振分装置制御手段210は、振分抽選手段211と、振分装置実行手段219とを有する。振分抽選手段211は、振分装置40の塞部40bを左右どちらの位置に移動させるかを判定するためのものである。振分抽選手段211は、振分乱数発生手段212と、振分乱数抽出手段213と、振分抽選テーブル214と、テーブル選択手段215と、振分抽選判定手段216とを有する。
【００１６】
振分乱数発生手段212は、振分抽選手段211が抽選を行うために用いる乱数を、発生させるものである。
振分乱数抽出手段213は、上部始動入賞口12aへの入賞を契機として、振分乱数発生手段212から、振分抽選値としての乱数を取得するものである。なお、上記した当選抽選値取得手段113により取得された乱数を、振分抽選値としても良い。つまり、当選抽選用の乱数と振分抽選用の乱数とを共用しても良い。
振分抽選テーブル214は、振分乱数発生手段212が発生する範囲内の各乱数について、振分装置40の塞部40bを左右どちらに移動させるかを、予め定めたものである。つまり、振分抽選テーブル214は、振分乱数取得手段213により取得され得る各乱数（振分抽選値）について、振分装置40の塞部40bを左右どちらに移動させるかを、予め定めている。
【００１７】
また、振分抽選テーブル214として、第１振分抽選テーブルと、第１振分抽選テーブルとは塞部40bを左右どちらに移動させるかの定めの比率を異にする第２振分抽選テーブルとを備える。つまり、第１振分抽選テーブルは、振分乱数発生手段212が発生する範囲内の各乱数について、塞部40bを左方の所定の位置へ移動させる旨及び右方の所定の位置へ移動させる旨を所定の比率で定めている。また、第２振分抽選テーブルは、振分乱数発生手段212が発生する範囲内の各乱数について、塞部40bを左方の所定の位置へ移動させる旨の比率を第１振分抽選テーブルより低く、かつ、塞部40ｂを右方の所定の位置へ移動させる旨の比率を第１振分抽選テーブルよりも高く定めている。具体的には、例えば、第１振分抽選テーブルは、塞部40bを左方の所定の位置に移動させる旨の定めの比率を８０％に、かつ、右方の所定の位置に移動させる旨の定めの比率を２０％にするように定めることができる。また、第２振分抽選テーブルは、塞部40bを左方の所定の位置に移動させる旨の定めの比率を２０％に、かつ、右方の所定の位置に移動させる旨の定めの比率を８０％にするように定めることができる。したがって、第1振分抽選テーブルでは、遊技球が第２落下通路47へ導かれる確率が８０％となり、遊技球が第１落下通路45へ導かれる確率が２０％となる。また、第２振分抽選テーブルでは、遊技球が第２落下通路47へ導かれる確率が２０％となり、遊技球が第１落下通路45へ導かれる確率が８０％となる。
【００１８】
テーブル選択手段215は、当選抽選手段110の当否判定に基づき、第1振分抽選テーブルを用いるか、第２振分抽選テーブルを用いるかを選択するものである。当選抽選手段110の当否判定が当選であった場合には、第１振分抽選テーブルが選択され、当選抽選手段110の当否判定が非当選であった場合には、第２振分抽選テーブルが選択される。
振分抽選判定手段216は、振分乱数抽出手段213が取得した乱数（振分抽選値）と、
テーブル選択手段215により選択されたテーブルとを参照し、遊技球を第１落下通路45に導くのか、第２落下通路47に導くのかを判定する。
振分装置実行手段219は、振分抽選手段211により判定された結果に基づき、振分装置40のソレノイドに電気信号を送り、揺動軸を中心に、振分装置40の振分部材40aの塞部40bを左右に揺振させて、遊技球の振り分けを実行する。
【００１９】
（請求項２）
（特徴点）
請求項２記載の発明は、次の点を特徴とする。
すなわち、請求項２記載の発明は、遊技領域10が形成された遊技盤7と、遊技領域10に位置し、遊技球が入球可能な始動入賞口12と、遊技領域10に位置し、所定の条件のときに開放することにより、遊技球が入球可能な大入賞口13と、弾球遊技機の制御を行う遊技制御装置100とを備え、遊技制御装置100は、始動入賞口12への遊技球の入球を契機に、遊技における当選又は非当選を決定するための抽選を行う当選抽選手段110と、当選抽選手段110の抽選結果に基づき大入賞口13を開放することにより、通常行っている遊技よりも単位時間当たりの出球を多くする特別遊技を制御する特別遊技制御手段180とを有し、遊技領域10には、遊技領域10の中央上部に位置する、始動入賞口12としての上部始動入賞口12aと、遊技領域10の中央下部に位置する、始動入賞口12としての下部始動入賞口12cと、上部始動入賞口12aの下方にあって、上部始動入賞口12aを通過した遊技球が挿通可能な導入通路41と、導入通路41の下端に連設され、遊技球の通路を分岐させる分岐部43と、分岐部43に連設され、分岐部43から所定の位置に遊技球を導く第1落下通路45と、分岐部43に連設され、分岐部43から第１落下通路45とは異なる位置に遊技球を導く第2落下通路47と、分岐部43に設けられ、導入通路41を通って分岐部43に至った遊技球を、第１落下通路45又は第2落下通路47のいずれか一方へ誘導するための振分装置40とが備えられ、第1落下通路45及び第2落下通路47の少なくとも一部は、その中を通る遊技球が視認可能に形成され、遊技制御装置100には、振分装置40の動作を制御するための振分装置制御手段210を有し、振分装置制御手段210は、当選抽選手段110の抽選結果に基づいて、当選時には遊技球を第２落下通路47に多く振り分け、非当選時には遊技球を第１落下通路45に多く振り分けるように、振分装置40の動作を制御することを特徴とする。
【００２０】
ここで、「始動入賞口12」として、上部始動入賞口12aと下部始動入賞口12cとを備えている。
また、「上部始動入賞口12a」は、遊技領域10の中央上部に位置するように設けられている。遊技領域10の中央上部とは、遊技球がパチンコ機PMの発射装置から遊技領域10内に発射されるとき、遊技球が発射される強さによっては、直接、遊技球が当たることができる位置をいう。すなわち、遊技領域10の中央上部とは、遊技者が遊技球を発射する際に狙うことが可能な位置をいう。
また、「導入通路41」は、上部始動入賞口12aの下方に形成されている。また、導入通路41は、上部始動入賞口12aを通過した遊技球が挿通可能に形成されている。また、導入通路41から連設されている分岐部43等の他の構成については、上記した請求項１の記載と同様である。
【００２１】
また、「下部始動入賞口12c」は、遊技領域10の中央下部に位置するように設けられている。
（請求項３）
（特徴点）
請求項３記載の発明は、請求項２記載の発明を限定したものであって、次の点を特徴とする。
すなわち、請求項３記載の発明は、遊技領域10には、当選抽選手段110の抽選結果が表示される装飾図柄表示装置20が備えられ、遊技制御装置100は、遊技球が始動入賞口12に入球してから、この入球に対応する当選抽選手段110の抽選結果が、装飾図柄表示装置20に表示されるまでに、次の遊技球が始動入賞口12に入球した場合に、次の入球に対応する当選抽選手段110の抽選結果に関する情報を、所定の個数、記憶する保留制御手段170を備え、保留制御手段170は、遊技球が上部始動入賞口12aに入球した場合の当選抽選手段110の抽選結果に関する情報を記憶する第１保留制御手段170aと、遊技球が下部始動入賞口12cに入球した場合の当選抽選手段110の抽選結果に関する情報を記憶する第２保留制御手段170bとを備えていることを特徴とする。
【００２２】
ここで、「装飾図柄表示装置20」は、遊技領域10に設けられている。また、装飾図柄表示装置20は、当選抽選手段110の抽選結果を表示する。また、例えば、装飾図柄表示装置20として、その画面を平面状に形成した液晶表示装置を用いることができる。また、例えば、装飾図柄表示装置20は、当選抽選手段110の抽選結果を、所定の演出パターンに基づいて表示することができる。具体的には、例えば、装飾図柄表示装置20を、その画面に、三つの図柄の表示態様が可能となるように形成する。また、その装飾図柄表示装置20の画面に、スロットマシンを模した表示を行ない、三列の図柄を変動表示させたり、停止表示させたする演出パターンを行なう。また、例えば、遊技制御装置100に、当選抽選手段110の抽選結果に基づき、装飾図柄表示装置20に表示される演出パターンを決定する図柄決定手段130と、決定された演出パターンに基づき、装飾図柄表示装置20を制御する表示制御手段160とを備えるようにする。これにより、装飾図柄表示装置20は、当選抽選手段110の抽選結果を、所定の演出パターンで表示することができる。
【００２３】
遊技制御装置100には、「保留制御手段170」が設けられている。また、保留制御手段170は、当選抽選手段110の抽選結果に関する情報を記憶するものである。また、保留制御手段170は、始動入賞口12に遊技球が入球してから、この入球に対応する当選抽選手段110の抽選結果が、装飾図柄表示装置20に表示されるまでに、次の遊技球が始動入賞口12に入球した場合に、次の入球に対応する当選抽選手段110の抽選結果に関する情報を、所定の個数、記憶する。
また、「当選抽選手段110の抽選結果に関する情報」とは、例えば、特別遊技に当選したか否か、確率変動遊技に当選したか否か、どの演出パターンが選択されたかの等情報をいう。
【００２４】
また、例えば、遊技球が始動入賞口12に入球すると、当選抽選手段110により当選又は非当選を決定するための抽選が行われ、装飾図柄表示装置20が、所定の演出パターンにおける図柄の変動を行い、最後に、その抽選結果を表示するが、「始動入賞口12に遊技球が入球してから、当選抽選手段110の抽選結果が、装飾図柄表示装置20に表示されるまでに」とは、このような場合における、遊技球が始動入賞口12に入球したときから、装飾図柄表示装置20が、当選抽選手段110の抽選結果を表示するまでをいう。また、遊技球が始動入賞口12に入球してから、当選抽選手段110の抽選結果を、装飾図柄表示装置20が表示するまでに、次の遊技球が始動入賞口12に入球した場合は、次の遊技球に関する、当選抽選手段110の抽選結果は、表示されず、いわゆる保留状態になっている。（また、保留制御手段170に記憶されている当選抽選手段110の抽選結果に関する情報を、一般的に保留球と称している。）
例えば、第１の遊技球が、始動入賞口12に入球し、その入球に対応する当選抽選手段110の抽選結果が、装飾図柄表示装置20に表示される前に、第１の遊技球の次の遊技球である第２の遊技球が、始動入賞口12に入球した場合、この第２の遊技球に対応する当選抽選手段110の抽選結果に関する情報が、保留制御手段170に記憶され、いわゆる保留状態となる。そして、この第２の遊技球に対応する抽選結果が保留状態となっている状態で、第２の遊技球の次の遊技球である第３の遊技球が入球した場合、第２の遊技球に対応する当選抽選手段110の抽選結果に関する情報とともに、第３の遊技球に対応する当選抽選手段110の抽選結果の関する情報も、保留制御手段170に記憶され、いわゆる保留状態となる。このとき、保留制御手段170に記憶されている、当選抽選手段110の抽選結果に関する情報は、２個になる。そして、第１の遊技球に対応する当選抽選手段110の抽選結果が、装飾図柄表示装置20に表示されると、保留制御手段170に記憶されている第２の遊技球に対応する当選抽選差手段110の抽選結果に関する情報に基づき、次の第２の遊技球に対応する当選抽選手段110の抽選結果が、装飾図柄表示装置20に表示される。このとき、保留制御手段170に記憶されている当選抽選手段110の抽選結果に関する情報の個数は、抽選結果が、装飾図柄表示装置20に表示される度に、１個づつ減少する。第２の遊技球にかかる当選抽選手段110の抽選結果が、装飾図柄表示装置20に表示されると、次の第３の遊技球に対応した当選抽選手段110の抽選結果が、保留制御手段170に記憶されている当選抽選手段110の抽選結果に関する情報に基づき、第３の遊技球に対応する当選抽選手段110の抽選結果が装飾図柄表示装置20に表示される。また、第１の遊技球に対応する当選抽選手段110の抽選結果が表示され、第２の遊技球に対応する当選抽選手段110の抽選結果が、装飾図柄表示装置20に表示される前に、第４の遊技球が始動入賞口12に入球した場合、第３の遊技球に対応する当選抽選手段110の抽選結果に関する情報ともに、第４の遊技球に対応する当選抽選手段110の抽選結果の関する情報も、保留制御手段170に記憶され、いわゆる保留状態となる。このときも、保留制御手段170に記憶されている、当選抽選手段110の抽選結果に関する情報は、２個になる。そして、このような、装飾図柄表示装置20による当選抽選手段110の抽選結果の表示と、保留制御手段170による当選抽選手段110の抽選結果に関する情報の記憶が、遊技球が始動入賞口12に入球するごとに、順次繰り返される。
【００２５】
また、保留制御手段170は、遊技球が始動入賞口12に入球してから、当選抽選手段110の抽選結果が、装飾図柄表示装置20に表示されるまでに、次の遊技球が始動入賞口12に入球した場合に、当選抽選手段110の抽選結果の情報を、所定の個数、記憶するが、他の条件においても、当選抽選手段110の抽選結果の情報を、所定の個数、記憶するようにしても良い。例えば、始動入賞口12へ遊技球が入球した場合であって、未だ当選抽選手段110の抽選結果が表示されていない状態のときはすべて、当選抽選手段110の抽選結果の情報を、記憶するようにしても良い。具体的には、例えば、保留制御手段170を、特別遊技中に、次の遊技球が始動入賞口12に入球した場合も、当選抽選手段110の抽選結果に関する情報を、所定の個数、記憶するようにしても良い。
【００２６】
また、保留制御手段170は、当選抽選手段110の抽選結果に関する情報を、所定の個数記憶するが、保留制御手段170が記憶する当選抽選手段110の抽選結果に関する情報の数が、所定の個数に達すると、次に、遊技球が始動入賞口12へ入球しても、当選抽選手段110は、当選又は非当選の抽選を行わない。言い換えると始動入賞口12への入球が無効となる。そして、保留制御手段170に記憶されている当選抽選手段110の抽選結果に関する情報に基づき、装飾図柄表示装置20が、当選抽選手段110の抽選結果を表示すると、保留制御手段170に記憶している、当選抽選手段110の抽選結果に関する情報の個数が減り、再度、所定の個数に達しない状態になる。その状態で遊技球が始動入賞口12へ入球すると、当選抽選手段110は、当選又は非当選を決定するための抽選を行うようになる。
【００２７】
また、保留制御手段170は、上部始動入賞口12a及び下部始動入賞口12cごとに、当選抽選手段110の抽選結果を所定の個数記憶する。具体的には、保留制御手段170は、遊技球が上部始動入賞口12aに入球した場合の当選抽選手段110の抽選結果に関する情報を記憶する第１保留制御手段170aと、遊技球が下部始動入賞口12cに入球した場合の当選抽選手段110の抽選結果に関する情報を記憶する第２保留制御手段170bとを備える。具体的には、例えば、第1保留制御手段170aが記憶する、当選抽選手段110の抽選結果に関する情報の個数を４個とし、第２保留制御手段170ｂが記憶する、当選抽選手段110の抽選結果に関する情報の個数を、第１保留制御手段170aとは独立して別途４個とすることができる。また、第１保留制御手段170aが記憶する、当選抽選手段110の抽選結果に関する情報の個数を４個とし、第２保留制御手段170bが記憶する、当選抽選手段110の抽選結果に関する情報の個数を８個とするように、第１保留制御手段170a及び第２保留制御手段170bが記憶する当選抽選手段110の抽選結果に関する情報の個数を、それぞれ異なるようにしても良い。
【００２８】
また、第１保留制御手段170a及び第２保留制御手段170bが記憶する当選抽選手段110の抽選結果に関する情報の所定の個数を、遊技状態によって、変更するように形成しても良い。ここで、遊技状態とは、特別遊技中や確率変動遊技中等をいう。具体的には、例えば、特別遊技中は、第１保留制御手段170a及び第２保留制御手段170bが記憶する当選抽選手段110の抽選結果に関する情報の所定の個数を、通常の４個から８個に増やすように形成しても良い。
また、上部始動入賞口12a又は下部始動入賞口12cに、遊技球が入球した場合、当選抽選手段110及び保留制御手段170は、以下のような処理を行う。
（１）第１保留制御手段170aに記憶されている当選抽選手段110の抽選結果に関する情報の個数が、所定の個数に達している場合であって、第２保留制御手段170bに記憶されている当選抽選手段110の抽選結果に関する情報の個数が、所定の個数に達しているとき。（第１保留制御手段170a及び第２保留制御手段170bとも、記憶されている、当選抽選手段110の抽選結果に関する情報が、所定の個数に達しているとき。）
この場合は、上部始動入賞口12a及び下部始動入賞口12cのいずれに遊技球が入球しても、当選抽選手段110は、当選又は非当選を決定するための抽選を行わない。
（２）第１保留制御手段170aに記憶されている当選抽選手段110の抽選結果に関する情報の個数が、所定の個数に達している場合であって、第２保留制御手段170bに記憶されている当選抽選手段110の抽選結果に関する情報の個数が、所定の個数に達していないとき。
【００２９】
この場合、上部始動入賞口12aに遊技球が入球しても、当選抽選手段110は、当選又は非当選を決定するための抽選を行わない。また、下部始動入賞口12cに遊技球が入球すると、当選抽選手段110は、当選又は非当選を決定するための抽選を行う。そして、その抽選結果は、所定の演出パターンに基づき、装飾図柄表示装置20に表示されるか、又は、所定の条件で、その抽選結果は、装飾図柄表示装置20に表示されず、保留制御手段170に当選抽選手段110の抽選結果に関する情報が記憶される。
（３）第１保留制御手段170aに記憶されている当選抽選手段110の抽選結果に関する情報の個数が、所定の個数に達していない場合であって、第２保留制御手段170bに記憶されている当選抽選手段110の抽選結果に関する情報の個数が、所定の個数に達しているとき。
【００３０】
この場合、下部始動入賞口12cに遊技球が入球しても、当選抽選手段110は、当選又は非当選を決定するための抽選は行わない。また、上部始動入賞口12aに遊技球が入球すると、当選抽選手段110は、当選又は非当選を決定するため抽選を行う。そして、その抽選結果は、所定の演出パターンに基づき、装飾図柄表示装置20に表示されるか、又は、所定の条件で、その抽選結果は、装飾図柄表示装置20に表示されず、保留制御手段170に当選抽選手段110の抽選結果に関する情報が記憶される。
（４）第１保留制御手段170aに記憶されている当選抽選手段110の抽選結果に関する情報の個数が、所定の個数に達していない場合であって、第２保留制御手段170bに記憶されている当選抽選手段110の抽選結果に関する情報の個数が、所定の個数に達していないとき。（第１保留制御手段170a及び第２保留制御手段170bとも、記憶されている、当選抽選手段110の抽選結果に関する情報が、所定の個数に達していないとき。）
この場合、上部始動入賞口12a、又は下部始動入賞口12cのいずれに遊技球が入球しても、当選抽選手段110は、当選又は非当選を決定するための抽選を行い、その抽選結果が、所定の演出パターンに基づき、装飾図柄表示装置20に表示されるか、又は、所定の条件で、その抽選結果は、装飾図柄表示装置20に表示されず、保留制御手段170に当選抽選手段110の抽選結果に関する情報が記憶される。
【００３１】
また、第１保留制御手段170a及び第２保留制御手段170bが記憶する、当選抽選手段110の抽選結果に関する情報の個数を、遊技状態に応じて、変更するようにしても良い。ここで、遊技状態とは、例えば、特別遊技中や確率変動遊技中等をいう。例えば、特別遊技中は、保留制御手段170が記憶する、当選抽選手段110の抽選結果に関する情報の所定の個数を、通常の遊技中の個数（例えば、４個）より、多くなるようにする（例えば、８個）。このように形成すると、例えば、特別遊技中は、当選抽選手段110の抽選結果を、装飾図柄表示装置20に表示せずに、当選抽選手段110の抽選結果に関する情報を、保留制御手段170に所定の個数、記憶するような場合でも、所定の個数に達しにくくなり、始動入賞口12へ遊技球が入球した場合に、無効となることが少なくなる。
【００３２】
（請求項４）
（特徴点）
請求項４記載の発明は、請求項３記載の発明を限定したものであって、次の点を特徴とする。
すなわち、請求項４記載の発明は、振分装置制御手段210は、第１保留制御手段170a及び第２保留制御手段170bの少なくとも一方に記憶される当選抽選手段110の抽選結果に関する情報が、所定の個数に達した場合に、全ての遊技球を第１落下通路45又は第２落下通路47のいずれか一方に振り分けるように、振分装置40の動作を制御することを特徴とする。
【００３３】
ここで、振分装置制御手段210は、第１保留制御手段170a及び第２保留制御手段170bの少なくとも一方に記憶される当選抽選手段110の抽選結果に関する情報が、所定の個数に達した場合に、全ての遊技球を第１落下通路45又は第２落下通路47のいずれか一方に振り分けるように、振分装置40の動作を制御する。
また、「第１保留制御手段170a及び第２保留制御手段170bの少なくとも一方に記憶される当選抽選手段110の抽選結果に関する情報が、所定の個数に達した場合」とは、以下の場合が考えられる。
（１）第１保留制御手段170aに記憶される当選抽選手段110の抽選結果に関する情報が、所定の個数に達した場合であって、第２保留制御手段170bに記憶される当選抽選手段110の抽選結果に関する情報が、所定の個数に達していないとき。
（２）第２保留制御手段170bに記憶される当選抽選手段110の抽選結果に関する情報が、所定の個数に達した場合であって、第１保留制御手段170aに記憶される当選抽選手段110の抽選結果に関する情報が、所定の個数に達していないとき。
（３）第１保留制御手段170a及び第２保留制御手段170bに記憶される当選抽選手段110の抽選結果に関する情報が、第１保留制御手段170a及び第２保留制御手段170bのそれぞれに設定されている、所定の個数に達した場合。
【００３４】
また、具体的には、振分装置制御手段210は、第１保留制御手段170a及び第２保留制御手段170bの少なくとも一方に記憶される当選抽選手段110の抽選結果に関する情報が、所定の個数に達した場合に、全ての遊技球を、第１落下通路45のみに振り分けられるように振分装置40の動作を制御しても良いし、全ての遊技球を、第２落下通路47のみに振り分けられるように振分装置40の動作を制御しても良い。
ここで、振分装置制御手段210は、遊技球を第１落下通路45又は第２落下通路47に振り分けるように振分装置40の動作を制御するが、その制御は、第１保留制御手段170a及び第２保留手段170bに記憶される、当選抽選手段110の抽選結果に関する情報の個数とは、無関係に設定できる。すなわち、例えば、振分装置制御手段210は、第１保留制御手段170aに記憶される、当選抽選手段110の抽選結果に関する情報の個数が、所定の個数に達したとき、第１落下通路45に振り分けるように、振分装置40の動作を制御しても良いし、逆に、第２落下通路47に振り分けるように、振分装置40の動作を制御しても良い。また、第２保留制御手段170bに記憶される、当選抽選手段110の抽選結果に関する情報の個数が、所定の個数に達したとき、第１落下通路45に振り分けるように、振分装置40の動作を制御しても良いし、逆に、第２落下通路47に振り分けるように、振分装置40の動作を制御しても良い。
（請求項５）
（特徴点）
請求項５記載の発明は、請求項１、２、３又は４記載の発明を限定したものであって、次の点を特徴とする。
【００３５】
すなわち、請求項３記載の発明は、特別遊技の当選確率が一定の遊技を、通常遊技とし、特別遊技の当選確率が通常遊技よりも高い遊技を、確率変動遊技とし、遊技制御装置100は、確率変動遊技を制御するための確率変動遊技制御手段190を備え、振分装置制御手段210は、確率変動遊技の場合に、全ての遊技球を第１落下通路45又は第２落下通路47のいずれか一方に振り分けるように、振分装置40の動作を制御することを特徴とする。
ここで、「通常遊技」とは、特別遊技の当選確率が一定の遊技である。
また、「確率変動遊技」とは、特別遊技の当選確率が通常遊技よりも高い遊技をいう。つまり、特別遊技へ移行するための条件が遊技者にとって有利なものに変更された状態で行われる遊技をいう。例えば、通常遊技時においては、特別遊技の当選確率が一定の値（例えば１／４００）で、遊技が行われるが、確率変動遊技時においては、特別遊技の当選確率が通常遊技時よりも高い状態（例えば１／４０）で、遊技が行われる。確率変動遊技に当選すると、特別遊技の終了後に確率変動遊技に移行する。なお、確率変動遊技としては、遊技者に有利となる変動時間が短縮された変動時間短縮状態で行われる遊技を採用しても良い。
【００３６】
また、「確率変動遊技制御手段190」とは、遊技制御装置100に備えられており、確率変動遊技を制御するためのものである。例えば、確率変動遊技制御手段190は、確率変動抽選手段115による抽選で、確率変動遊技へ移行することが決定すると、特別遊技の終了後に、特別遊技の当選確率の高い状態、すなわち、確率変動遊技へ移行させる。これにより、確率変動遊技が開始する。そして、確率変動遊技制御手段190は、確率変動遊技へ移行させた後、当否抽選手段112による抽選で特別遊技に当選した場合や、特別遊技に一定回数当選した場合等の確率変動遊技の終了条件に該当するまで、確率変動遊技状態を継続する。そして、確率変動遊技の終了条件に該当する場合には、確率変動遊技は終了する。なお、当選確率の高い確率変動遊技へ移行したことは、報知手段92により遊技者に報知されるようになっている。
【００３７】
また、振分装置制御手段210は、確率変動遊技の場合に、全ての遊技球を第１落下通路45又は第２落下通路47のいずれか一方に振り分けるように、振分装置40の動作を制御する。具体的には、全ての遊技球を、第１落下通路45のみに振り分けられるように制御しても良いし、全ての遊技球を、第２落下通路47のみに振り分けられるように制御しても良い。
【発明の効果】
【００３８】
（請求項１）
請求項１記載の発明によれば、遊技領域が形成された遊技盤と、始動入賞口と、大入賞口と、弾球遊技機の制御を行う遊技制御装置とを備え、遊技制御装置には、当選抽選手段と特別遊技制御手段とを備えた弾球遊技機において、遊技領域には、始動入賞口と、始動入賞口の下方に位置する導入通路と、導入通路に連設され遊技球の通路を分岐させる分岐部と、分岐部に連設された第1落下通路及び第２落下通路と、第１落下通路と第２落下通路とを振り分ける振分装置とが備えられ、第1落下通路及び第2落下通路の少なくとも一部は、その中を通る遊技球が視認可能に形成され、振分装置は、振分装置制御手段により、当選抽選手段の当選時に遊技球を第２落下通路に多く振り分け、非当選時には第１落下通路に多く振り分けるようにした。これにより、遊技球がどちらの通路に振り分けられるかが視認可能であり、当選抽選手段の抽選結果がある程度予測可能になる。したがって、図柄表示装置の演出以外に、遊技者に対し興味を抱かせる演出を行うことができる。
【００３９】
（請求項２）
請求項２記載の発明によれば、遊技領域には、遊技領域の中央上部に位置する、始動入賞口としての上部始動入賞口が備えられたので、遊技領域に、遊技者が遊技球を打ち込む狙いどころを分かり易く示すことができ、これにより、遊技に対する興味を遊技者に抱かせることができる。また、上部始動入賞口の下方に位置する導入通路と、導入通路に連設され遊技球の通路を分岐させる分岐部と、分岐部に連設した第1落下通路及び第２落下通路と、第１落下通路又は第２落下通路のいずれか一方へ遊技球を振り分ける振分装置とを備え、第1落下通路及び第2落下通路の少なくとも一部は、その中を通る遊技球が視認可能に形成し、振分装置は、当選時に遊技球を第２落下通路に多く振り分け、非当選時には第１落下通路に多く振り分けるようにしたので、遊技球がどちらの通路に振り分けられるかを視認することにより、当選抽選手段の抽選結果をある程度予測可能し、図柄表示装置の演出以外に、遊技者が興味を抱く演出を行うことができる。
【００４０】
（請求項３）
請求項３記載の発明によれば、上記した請求項２記載の発明の効果に加え、次のような効果を奏する。
すなわち、請求項３記載の発明は、当選抽選手段の抽選結果に関する情報を記憶する保留制御手段を備え、保留制御手段は、遊技球が、上部始動入賞口に入球した場合に、当選抽選手段の抽選結果を記憶する第１保留制御手段と、遊技球が、上部始動入賞口に入球した場合に、当選抽選手段の抽選結果を記憶する第１保留制御手段とを有するようにした。
これにより、上部始動入賞口、又は下部始動入賞口のうち、どちらか一方の、保留制御手段が記憶する当選抽選手段の抽選結果が、所定の個数に達した場合であっても、遊技者が、所定の個数に達していない他方の始動入賞口を狙うことができるようになり、遊技者の遊技に対する興味を抱かせることができる。
【００４１】
（請求項４）
請求項４記載の発明によれば、上記した請求項３記載の発明の効果に加え、次のような効果を奏する。
すなわち、請求項４記載の発明は、保留制御手段に記憶される当選抽選手段の抽選結果に関する情報が、所定の個数に達したとき、全ての遊技球を第１落下通路又は第２落下通路のいずれか一方に振り分けるようにした。
これにより、保留制御手段の記憶する抽選結果に関する情報が、所定の個数に達したことを遊技者に示唆することができる。
【００４２】
（請求項５）
請求項５記載の発明によれば、上記した請求項１、２、３又は４記載の発明の効果に加え、次のような効果を奏する。
すなわち、請求項５記載の発明は、確率変動遊技の場合に、全ての遊技球を第１落下通路又は第２落下通路のいずれか一方に振り分けるようにしたので、確率変動遊技であることを示唆することにより、遊技者の遊技に対する興味を抱かせる弾球遊技機を提供することができる。
【発明を実施するための最良の形態】
【００４３】
（第1の実施の形態）
（図面の説明）
以下、本発明を実施するための最良の形態である実施の形態について、図面を用いて説明する。
図１は、本実施の形態にかかるパチンコ機PMの正面図である。図２は、本実施の形態にかかるパチンコ機PMの正面拡大図である。図３は、本実施の形態にかかる上部始動入賞口12a部分の拡大図である。図４は、本実施の形態にかかる遊技制御装置100の概略構成を示すブロック図である。図５は、本実施の形態にかかる当選抽選手段110の概略構成を示すブロック図である。図６は、本実施の形態にかかる図柄決定手段130の概略構成を示すブロック図である。図７は、本実施の形態にかかる表示制御手段160の概略構成を示すブロック図である。図８は、本実施の形態にかかる特別遊技制御手段180の概略構成を示すブロック図である。図９は、本実施の形態にかかる振分装置制御手段210の概略構成を示すブロック図である。図１０は、本実施の形態にかかる遊技の動作全般を示すフロー図である。図１１は、本実施の形態にかかる通常遊技制御処理を示すフロー図である。図１２は、本実施の形態にかかる当否判定処理を示すフロー図である。図１３は、本実施の形態にかかる移行判定処理を示すフロー図である。図１４は、本実施の形態にかかる特別遊技制御処理を示すフロー図である。図１５は、本実施の形態にかかる確率変動遊技移行処理を示すフロー図である。
【００４４】
（パチンコ機PMの概略構成）
本実施の形態にかかるパチンコ機PMは、図１の如く、当該パチンコ機PMの外郭保持枠をなす外枠1と、この外枠1に開閉自在に軸支された前枠2とを備えたものとなっている。そして、前枠2には、パチンコ機PMの遊技領域10を形成するための遊技盤7と、この遊技盤7の前方を覆う板ガラスが嵌め込まれたガラス扉3と、遊技球を受ける上球皿4と、遊技球の発射操作を行うための操作ハンドル5とが設けられている。また、遊技領域10の周辺を囲むように遊技盤7に固定された一対のレール6が設けられている。また、遊技領域10の中央には、遊技の演出を行う装飾図柄表示装置20が設けられている。また、遊技盤7には、装飾図柄表示装置20の前方に装飾板21が設けられている。
【００４５】
パチンコ機PMの遊技領域10には、遊技球が入賞すると遊技者に賞球が払い出される複数の一般入賞口11と、遊技球の入賞により、遊技者への賞球払出を行うとともに、大当たり抽選の契機となり、かつ、面状表示部である装飾図柄表示装置20の図柄変動を開始させる始動入賞口12と、通常遊技では閉鎖されており、大当たりになると開放される大入賞口13と、遊技球を回収するアウト口14と、打球の落下に影響を与えるための風車15と、装飾図柄表示装置20の下方右側に配置された特別図柄表示装置200と、図示しない多数の遊技釘とが設けられている。また、本実施の形態では、始動入賞口12として、上部始動入賞口12aと、下部始動入賞口12cとが備えられている。上部始動入賞口12aは、遊技領域10の中央上部に設けられている。遊技領域10の中央上部とは、遊技球がパチンコ機PMの発射装置から遊技領域10内に発射されるとき、遊技球が発射される強さによっては、直接、遊技球が当たることができる位置をいう。すなわち、遊技領域10の中央上部とは、遊技者が遊技球を発射する際に狙うことが可能な位置である。
【００４６】
また、下部始動入賞口12cは、装飾図柄表示装置20よりも下の位置であって、大入賞口13の上の位置に設けられている。、すなわち、下部始動入賞口12cは、装飾図柄表示装置20と大入賞口13との間の位置に設けられている。
また、図２及び図３に示すように、上部始動入賞口12aの下方には、下方向へ延びるように導入通路部材41aが連設されている。導入通路部材41aは、遊技盤7と装飾板21との間に、下方へ向けて遊技球を誘導する通路を形成するためのものである。導入通路部材41aにより形成される通路が導入通路41となる。また、導入通路41の上端は、上部始動入賞口12aの直下に開口している。これにより、上部始動入賞口12aを通過した遊技球は、導入通路41に挿通可能になる。また、導入通路41には、上部始動入賞口12aから入った遊技球が、導入通路41を通過したかどうかを検出する上部入賞検出器12bが設けられている。
【００４７】
また、導入通路部材41aの下端には、分岐部材44が連設されている。分岐部材44は、導入通路部材41aの下端に連設され、下方向へ向けて延びる分岐前部44aと、分岐前部44aに連設され左下方向へ向けて延びる左分岐部44bと、分岐前部44aに連設され右下方向へ向けて延びる右分岐部44cとを備えている。また、分岐部材44は、左分岐部44bと右分岐部44cとが接している箇所である又部44dを有している。
分岐前部44aは、遊技盤7と装飾板21との間に、下方へ向けて遊技球を誘導する分岐前通路を形成するためのものである。左分岐部44bは、分岐前部44aから左斜め下方へ向けて延びるように形成されている。左分岐部44bは、遊技盤7と装飾板21との間に、左斜め下方へ向けて遊技球を誘導する左分岐通路を形成するためのものである。また、右分岐部44cは、分岐前部44aから右斜め下方へ向けて延びるように形成されている。右分岐部44cは、遊技盤7と装飾板21との間に、右斜め下方へ向けて遊技球を誘導する右分岐通路を形成するためのものである。また、分岐前部44a、左分岐部44b及び右分岐部44cは、連続して形成されている。また、分岐前通路と左分岐通路と右分岐通路とにより分岐部43が形成されている。分岐前通路と左分岐通路と右分岐通路とが連続して滑らかに形成されることにより、分岐部43は、遊技球の滑らかな挿通を可能にしている。
【００４８】
また、左分岐部44bの下端には、第１落下通路部材45aが連設されている。第１落下通路部材45aは、左分岐部44bの下端から下方へ向けて延びるように形成されている。第１落下通路部材45aは、遊技盤7と装飾板21との間に、下方へ向けて遊技球を誘導する第１落下通路45を形成するための部材である。第１落下通路部材45aの下端部には、上部アウト口50が設けられている。上部アウト口50に入った遊技球は、上記したアウト口14と同様に、パチンコPM機に回収される。
また、右分岐部44cの下端には、第２落下通路部材48が連設されている。第2落下通路部材48は、図２に示すように、斜め通路部48aと屈曲部48bと下方通路部48cとを備えている。斜め通路部48aは、右分岐部44cの下端に連設されている。斜め通路部48aは、右分岐部44cの下端から右斜め下方向へ向けて延びるように形成されている。斜め通路部48aは、遊技盤7と装飾板21との間に、斜め右下方向へ向けて遊技球を誘導する斜め通路を形成するためのものである。
【００４９】
斜め通路部48aの下端には、屈曲部48bが連設されている。屈曲部48bは、斜め通路部48aの下端から真下に向くように屈曲して形成されている。屈曲部48bは、遊技盤7と装飾板21との間に、斜め下方向から真下方向へ向けて屈曲して遊技球を誘導する屈曲通路を形成するためのものである。
屈曲部48bの下端には、下方通路部48cが連設されている。下方通路部48cは、屈曲部48bの下端から下方向へ向けて延びるように形成されている。下方通路部48cは、遊技盤7と装飾板21との間に、下方向へ向けて遊技球を誘導する下方通路を形成するためのものである。
【００５０】
また、斜め通路部48aと屈曲部48bと下方通路部48cとは、連続して形成されている。また、斜め通路48aと屈曲通路48bと下方通路48cとにより、第２落下通路47が形成されている。斜め通路48aと屈曲通路48bと下方通路48cとが連続して滑らかに形成されることにより、第２落下通路47は、遊技球の滑らかな挿通を可能にしている。また、第２落下通路47の下端部には、上部一般入賞口49が設けられている。上部一般入賞口49は、上記した一般入賞口11と同様に、遊技球が入賞すると遊技者に賞球が払い出される。
また、導入通路部材41a、分岐部材44、第１落下通路部材45a及び第２落下通路部材48は、透明なプラスチック等の合成樹脂を用いて一体で形成されている。したがって、第１落下通路45及び第２落下通路47は、その中を通る遊技球が視認可能になっている。また、導入通路41、分岐部43、第1落下通路45及び第2落下通路47は連続して形成されている。したがって、上部始動入賞口12aから入った遊技球は、滑らかに、第１落下通路45又は第２落下通路47の下端部に至り、上部アウト口50又は上部一般入賞口49に至ることができる。
【００５１】
また、分岐部43には、振分装置40が配設されている。振分装置40は、振分部材40aと振分部材40aを作動させるソレノイド（図示せず）とを備えている。振分部材40aは、ある程度の厚みをもった板状に形成されている。振分部材40aは、軸部40cと、軸部40cから延びる塞部40bとを有している。塞部40bと軸部40cとは、プラスチック等の合成樹脂を用いて一体に形成されている。軸部40cは円板状に形成されている。塞部40ｂは、軸部40cから離れるにしたがって幅が次第に狭くなる板状に形成されている。塞部40bの先端は、軸部40cとは反対側が凸になる半円形状に形成されている。振分部材40aは、軸部40cが下方を、塞部40bが上方を向くように分岐部43に配設されている。また、分岐部43の二股に分かれた又の部分である又部44d付近に、揺動軸が設けられている。また、軸部40cは、揺動可能な状態で揺動軸に軸支されている。これにより、振分部材40aは、揺動軸を中心に、塞部40bを左右に揺振させることができる。
【００５２】
また、塞部40bが左へ揺動し、左の所定の位置に達した場合（図３の実線で記載された位置）、塞部40bが左分岐部通路を塞ぎ、第１落下通路45への遊技球の入球を阻止する。これにより、遊技球を第２落下通路47へ誘導することが可能になる。また、塞部40bが右へ揺動し、右の所定の位置に達した場合（図３の２点鎖線で記載された位置）、塞部40bが右分岐部通路を塞ぎ、第２落下通路47への遊技球の入球を阻止する。これにより、遊技球を第１落下通路45へ誘導することが可能になる。これにより、遊技球の振り分けが可能になる。
また、振分装置40は、後述する振分装置制御手段210により、その動作が制御されている。
【００５３】
また、大入賞口13は、所定の条件のときに開放することにより、遊技球が入球可能に形成されている。大入賞口13には、図示はしないが、遊技球を取り込むように形成されている開口部と、開口部を閉塞可能に形成されている扉部材と、扉部材を開閉可能に作動させる大入賞口ソレノイド13bとが備えられている。大入賞口13は、開口部が、一般入賞口11よりも大きく形成されている。したがって、開口部を開放することにより、多くの遊技球を取り込むことができるように形成されている。また、大入賞口ソレノイド13bは、遊技制御装置100により、所定の条件のときに、扉部材を作動させ、開口部の開閉を行うように制御されている。例えば、遊技制御装置100は、大入賞口ソレノイド13bに電気信号を送信することにより、通常遊技時には、開口部を閉止するように制御し、特別遊技時には、開口部を開放するように制御する。
【００５４】
また、図1に示すように、前枠2の上端部の左右付近には、遊技中に点灯もしくは点滅表示される複数のランプから構成される遊技効果ランプ30が２個設けられている。また、前枠2の左右の上端部には、演出用の音声を出力するためのスピーカ17が2個設けられている。
装飾図柄表示装置20は、後述する、当選抽選手段110の抽選結果を表示するものである。また、装飾図柄表示装置20は、後述する表示制御手段160により、表示動作が制御されている。また、装飾図柄表示装置20は、画像を表示する画面が平面状に形成されるとともに、その画面に表示される三つの図柄の表示態様が可変となった液晶表示装置であり、例えば、スロットマシンにおける遊技を模して三列の図柄が後述するように変動表示されたり、停止表示されたりして遊技の演出を行うものであり、遊技領域10のほぼ中央に配置されている。
【００５５】
装飾板21は、プラスチック等の合成樹脂を用いて板状に形成されている。また、装飾板21は、ほぼ中央に遊技者が装飾図柄表示装置20の表示を確認できるような、四角形状の貫通した装飾図柄表示装置確認用穴を有している。また、装飾板21には、装飾図柄表示装置20確認用穴の右側から上側にかけて、第1落下通路45内又は第2落下通路47内を挿通する遊技球が視認可能な透明部21aが設けられている。また、装飾板21は、分岐部43の振分装置40を遊技者から見ることができないように形成されている。
特定表示装置200は、後述する確率変動遊技へ移行することを点灯によって遊技者に報知するための表示ランプ装置である。
【００５６】
このような構成のパチンコ機PMでは、遊技者が操作ハンドル5を所定の方向へ回動操作すると、上球皿4に収納された遊技球が１個ずつ図示しない発射部へ送られる。発射部に到達した遊技球は、操作ハンドル5の回転角度に応じた強度で、発射部から遊技領域10へ向かって発射され、遊技領域10内において落下し、入賞口11、12及びアウト口14のいずれかに受け入れられる。ここで、遊技球が入賞口11、12に受け入れられた場合には、所定の賞球が上球皿4に払いだされる。
そして、入賞口11、12のうち始動入賞口12に打球が入賞すると、所定の賞球が上球皿4に払い出される他、特別図柄表示装置200に表示されている図柄の変動を開始させる。この図柄の変動が開始されてから所定の時間が経過すると、特別図柄表示装置200に変動表示された図柄が停止する。ここで、停止した図柄が予め規定された所定の図柄と一致する場合には、当たりとなる。
【００５７】
また、特別図柄表示装置200側の図柄変動が開始されるのと同時に、装飾図柄表示装置20の画面に表示されている複数の図柄も変動が開始される。この図柄変動が開始されてから所定の時間が経過すると、特別図柄表示装置200に変動表示された図柄が停止する。ここで、停止した図柄が予め規定された所定の図柄と一致する場合には、当たりとなる。
また、特別図柄表示装置200側の図柄変動が開始されるのと同時に、装飾図柄表示装置20の画面に表示されている複数の図柄も変動が開始される。この図柄の変動が開始されてから所定の時間が経過すると、装飾図柄表示装置20に変動表示された図柄が停止する。ここで、停止した三つの図柄が予め規定された組合せ（例えば、１〜９の各数字のぞろ目）となっている場合には、当たりとなり、大入賞口13が開放され、遊技領域10へ向かって発射された遊技球の大半が大入賞口13へ入賞するようになり、遊技者に大量の賞球の払い出しが行なわれる。
【００５８】
なお、本実施の形態にかかるパチンコ機PMには、内部で行なわれる抽選の結果を示す図柄を示す特別図柄表示装置200として、７セグメントの小型表示装置を含んで構成された特別図柄表示装置200が設けられている。また、特別図柄表示装置200は、複数種類の中から決定された図柄を表示することにより遊技における当たり外れを遊技者に報知するものになっている。
ここで、本実施の形態では、始動入賞口12に打球が入賞すると、上記のように、装飾図柄表示装置20の図柄を変動させる変動図柄演出と同時に、遊技効果ランプ30のランプを所定の順序で点滅させるランプ点滅演出を行う。そして、これらの変動図柄演出及びランプ点滅演出を所定時間行った後に、遊技者に対し、停止した図柄で大当たりを引き当てたか否かを報知すようになっている。
【００５９】
換言すると、パチンコ機PMは、後述する抽選手段が入賞内容の抽選を行う毎に、装飾図柄表示装置20の表示形態である図柄を変動させることにより、抽選が行われたことを報知し、変動させた図柄を停止して停止図柄を見せることにより、抽選手段が抽選した入賞内容を遊技者に報知するようにしたものである。
（遊技制御装置100）
本実施の形態のパチンコ機PMは、上記のような演出動作や遊技動作等を制御するための遊技制御装置100を備えている。図４には、遊技制御装置100の概略構成が示されている。遊技制御装置100は、マイクロコンピュータを利用したＣＰＵ並びにＲＯＭ及びＲＡＭ等の記憶手段を含んで構成されたハードウェアに、演出動作制御や遊技動作制御を行うためのソフトウェアがインストールされた制御装置である。
【００６０】
遊技制御装置100には、図４に示すように、当該遊技制御装置100へ所定の信号を送出する信号発信源として、大入賞口13の内部に設けられた大入賞口入賞検出器13aと、一般入賞口11の内部に設けられた一般入賞口入賞検出器11aと、始動入賞口12としての上部始動入賞口12aの内部に設けられた上部入賞検出器12bと、始動入賞口12としての下部始動入賞口12cの内部に設けられた下部入賞検出器12dとが電気的に接続されている。
また、遊技制御装置100には、その制御対象となる機器として、始動入賞口12のチューリップを開閉駆動する普通電動役物ソレノイド16と、大入賞口13の扉部材を開閉駆動する大入賞口ソレノイド13bと、特別図柄表示装置200と、装飾図柄表示装置20と、スピーカ17と、遊技効果ランプ30と、振分装置40とが電気的に接続されている。
【００６１】
このような遊技制御装置100には、一般入賞口11及び始動入賞口12等の各入賞口への入球を判定する入球検知手段105と、特別遊技へ移行するか否かについての当否抽選等を行う当選抽選手段110と、抽選における当否を決めるためのテーブルが記憶されているテーブル記憶手段120と、特別図柄表示装置200及び装飾図柄表示装置20で停止表示させる図柄を決める図柄決定手段130と、特別図柄表示装置200及び装飾図柄表示装置20の表示動作を制御する表示制御手段160と、所定の条件で当選抽選手段110の抽選結果に関する情報を、所定の個数記憶する保留制御手段170と、特別遊技へ移行するか否かの判定結果を報知するタイミングを決定する表示方法決定手段122と、特別遊技における演出内容が記憶されている特別遊技演出記憶手段90と、特別遊技へ移行する旨を遊技者に報知する報知手段92と、特別遊技における動作を制御する特別遊技制御手段180と、確率変動遊技状態における遊技を実行する確率変動遊技制御手段190と、始動入賞口12の普通電動役物の開閉を制御する普通電動役物制御手段192と、大入賞口13の開閉を制御する大入賞口開閉制御手段194と、振分装置40の動作を制御する振分装置制御手段210とが設けられている。
【００６２】
入球検知手段105は、一般入賞口11に遊技球が落入した際に、一般入賞口入賞検出器11aから落入信号が出力されると、この落入信号に基づいて一般入賞口11に遊技球が入賞したことを検知するものである。また、入球検知手段105は、始動入賞口12としての上部始動入賞口12aに、遊技球が落入すると、上部入賞検出器12bから落入信号が出力され、この落入信号に基づいて、上部始動入賞口12aに遊技球が入賞したことを検知する。また、入球検知手段105は、始動入賞口12としての下部始動入賞口12cに、遊技球が落入すると、下部入賞検出器12dから落入信号が出力され、この落入信号に基づいて、下部始動入賞口12cに遊技球が入賞したことを検知する。
【００６３】
当選抽選手段110は、特別遊技へ移行するか否かについての当否抽選処理と、確率変動遊技へ移行するか否かについての確率変動抽選処理とを行うものとなっている。この当選抽選手段110には、図５に示すように、当否抽選処理を行う当否抽選手段112と、確率変動抽選処理を行う確率変動抽選手段115とが設けられている。
当否抽選手段112は、所定の乱数発生手段から取得した乱数を当否の判定に用いる当否抽選値として取得する当否抽選値取得手段113と、この当否抽選値取得手段113が取得した当否抽選値に基づいて特別遊技へ移行するか否かを判定する当否判定手段114とで特別遊技への移行を判定するものである。
【００６４】
当否抽選値取得手段113は、通常の遊技よりも遊技者にとって有利な状態である特別遊技へ移行するか否かを判定するために、遊技球の始動入賞口12への入賞を契機として、上記の乱数発生手段から当否抽選値としての乱数を取得するものである。
ここで、乱数発生手段としては、例えば、０から６５５３５までの数値範囲で当否抽選値としての乱数を発生できるものを採用するのが好ましく、また、数学的に乱数を発生するものに限らず、所定のデジタル電子回路からなるハードウェアで擬似的に乱数を発生するハードウェア型の乱数発生手段や、コンピュータにインストールされた所定のプログラムで擬似的に乱数を発生するソフトウェア型の乱数発生手段も採用できる。
【００６５】
当否判定手段114は、特別遊技への移行を判定する際に参照すべき当否テーブルを複数種類備え、遊技の状況に応じた一の当否テーブルを選び、この選んだ当否テーブルを参照し、当否抽選値取得手段113が取得した当否抽選値が、当該当否テーブルの当たり領域及び外れ領域のどちらに属しているかにより、上記の判定を行うものである。
すなわち、当否判定手段114には、通常時に参照される当否テーブルと、確率変動遊技時に参照される当否テーブルとが備えられている。各当否テーブルは、当否抽選値として発生される乱数の発生する範囲内において、当たりとなる数値の範囲として設定された当たり領域と、外れとなる数値の範囲として設定された外れ領域とが設定されたものである。そして、確率変動遊技時に参照される当否テーブルは、通常時に参照される当否テーブルよりも当たりの確率が高くなるように、通常時の当否テーブルよりも当たりの領域が広く設定されたものとなっている。
【００６６】
当否判定手段114は、状況に応じて選んだ当否テーブルを参照し、当否抽選値取得手段113が取得した当否抽選値が、当該当否テーブルの当たり領域に属していれば、特別遊技へ移行すると判定し、当該当否テーブルの外れ領域に属していれば、特別遊技へ移行しないと判定するようになっている。
確率変動抽選手段115は、所定の乱数発生手段から取得した乱数を、確率変動遊技への移行するか否かの判定に用いる確率変動抽選値として取得する確率変動抽選値取得手段116と、この確率変動抽選値取得手段116が取得した確率変動抽選値に基づいて確率変動遊技へ移行するか否かを判定する確率変動判定手段117とで確率変動遊技への移行を判定するものである。
【００６７】
確率変動抽選値取得手段116は、通常の遊技から確率変動遊技へ移行するか否かを判定するために、遊技球の始動入賞口12への入賞を契機として、所定の乱数発生手段から確率変動抽選値としての乱数を取得するものである。
ここで、確率変動遊技とは、通常の遊技から特別遊技へ移行するための条件が遊技者にとって有利なものに変更された状態で行われる遊技である。例えば、通常遊技時においては、特別遊技の当選確率は、一定の値を有しているが、確率変動遊技時には、特別遊技の当選確率が、通常遊技時よりも高い状態で行われる。また、確率変動遊技に当選すると、特別遊技の終了後に確率変動遊技に移行する。そして、確率変動遊技は、次に特別遊技に当選した場合や、特別遊技に一定回数当選した場合等に終了する。なお、確率変動遊技としては、遊技者に有利となる変動時間が短縮された変動時間短縮状態で行われる遊技を採用しても良い。
【００６８】
また、乱数発生手段としては、上記した乱数発生手段と同様のものが採用でき、例えば、０から２５５までの数値範囲で当否抽選値としての乱数を発生できるものを採用するのが好ましい。ただし、乱数発生手段としては、当否抽選値取得手段113が取得する当否抽選値としての乱数とは、独立して別個に乱数を発生するものが採用される。
確率変動判定手段117は、確率変動遊技への移行を判定する際に、所定の移行判定テーブルを参照するものとなっている。すなわち、移行判定テーブルは、確率変動遊技への移行を是認するための数値範囲である是認領域と、確率変動遊技への移行を否認するための数値範囲である否認領域とが設定されたものである。確率変動判定手段117は、確率変動抽選値取得手段116が取得した確率変動抽選値が、移行判定テーブルの是認領域に属している場合には、確率変動遊技へ移行する旨の判定を行い、移行判定テーブルの否認領域に属している場合には、確率変動遊技へ移行しない旨の判定を行うものとなっている。
【００６９】
また、確率変動判定手段117は、確率変動遊技へ移行するか否か判定を行った後に、確率変動遊技へ移行するか否かの移行指示信号を、後述する表示制御手段160へ送出するようになっている。この移行指示信号は、後述する図柄決定手段130が送出する停止図柄に関する情報を伝達するための停止図柄データ信号とは、別個に送出されるものとなっている。
図４に戻って、テーブル記憶手段120は、次に説明する図柄決定手段130が特別図柄である停止図柄を決定する際に参照するために、第１から第３までの特別図柄範囲テーブルを記憶したものとなっている。
【００７０】
ここで、第１特別図柄範囲テーブルは、当否抽選手段112が当たりを抽選した場合において、確率変動抽選手段115が確率変動遊技に移行する旨の判定をしたときに、図柄決定手段130によって参照されるものである。
第２特別図柄範囲テーブルは、当否抽選手段112が当たりを抽選した場合において、確率変動抽選手段115が確率変動遊技に移行しない旨の判定をしたときに、図柄決定手段130によって参照されるものである。
第３特別図柄範囲テーブルは、当否抽選手段112が外れを抽選した場合に、図柄決定手段130によって参照されるものである。
【００７１】
そして、第１特別図柄範囲テーブル及び第２特別図柄範囲テーブルには、図柄決定のために取得される乱数である図柄決定抽選値と関連付けされて、例えば、「１」、「２」等の複数種類の図柄が記録されている。このうち、第１特別図柄範囲テーブルには、確率変動遊技へ移行することを示す図柄が含まれる一方、第２特別図柄範囲テーブルには、確率変動遊技へ移行することを示す図柄が含まれていない。例えば、「３」、「７」のように一般的に確率変動遊技へ移行することを示す図柄は、第１特別図柄範囲テーブルにのみ記録され、それ以外の図柄、換言すると、確率変動遊技へ移行することを示さない図柄は、第１特別図柄範囲テーブル及び第２特別図柄範囲テーブルの両方に記録されている。
【００７２】
第３特別図柄範囲テーブルには、図柄決定のために取得される乱数のうち、外れを示す図柄決定抽選値と関連付けされて、外れを示す図柄「−」が記録されている。
図柄決定手段130は、装飾図柄表示装置20及び特別図柄表示装置200の演出パターンを構成する、図柄を変動表示させる際の変動パターンと、変動させている図柄を停止させた際に表示される停止図柄とを決定するものである。なお、装飾図柄表示装置20における演出パターンとは、装飾図柄表示装置20に表示される図柄を変動表示させる変動パターンと、変動させていた図柄を停止させた際に表示される停止図柄とから構成される。図柄決定手段130は、当否抽選手段112が抽選を行うたびに、特別図柄表示装置200及び装飾図柄表示装置20のそれぞれについて、図柄を変動表示させる際の変動パターンと、変動させていた図柄を停止させた際に表示される停止図柄とを決定する。
【００７３】
このような図柄決定手段130には、図６の如く、装飾図柄としての停止図柄を決定する装飾図柄決定手段132と、特別図柄としての停止図柄を決定する特別図柄決定手段140と、普通図柄としての停止図柄を決定する普通図柄決定手段148とが設けられている。
このうち、特別図柄決定手段140は、特別図柄表示装置200において図柄を変動表示させる際の変動パターンを選択するパターン選択手段144と、特別図柄表示装置200において変動表示させていた図柄を停止させた際に表示させる停止図柄を選択する図柄選択手段146とを備えたものとなっている。
図柄選択手段146は、所定の乱数発生手段により図柄決定抽選値を取得すると、テーブル記憶手段120の特別図柄範囲テーブルのうち、当否抽選手段112による抽選処理及び確率変動抽選手段115による抽選処理の両方の結果に応じた特別図柄範囲テーブルを選び、選んだ特別図柄範囲テーブルを参照することにより、特別図柄表示装置200における停止図柄を決定するものである。
【００７４】
すなわち、当否抽選手段112の抽選結果が当たりである場合において、確率変動抽選手段115の抽選結果が確率変動遊技へ移行する旨の判定であるときには、図柄選択手段146は、テーブル記憶手段120の特別図柄範囲テーブルのうち、第１特別図柄範囲テーブルを選び、この第１特別図柄範囲テーブルにおいて取得した図柄決定抽選値と関連する図柄を停止図柄として選択するようになっている。
また、当否抽選手段112の抽選結果が当たりである場合において、確率変動抽選手段115の抽選結果が確率変動遊技へ移行しない旨の判定であるときには、図柄選択手段146は、テーブル記憶手段120の特別図柄範囲テーブルのうち、第２特別図柄範囲テーブルを選び、この第２特別図柄範囲テーブルにおいて、取得した図柄決定抽選値と関連する図柄を停止図柄として選択するようになっている。
【００７５】
さらに、当否抽選手段112の抽選結果が外れである場合には、確率変動抽選手段115の抽選結果を斟酌せずに、図柄選択手段146は、テーブル記憶手段120の特別図柄範囲テーブルのうち、第３特別図柄範囲テーブルを選び、この第３特別図柄範囲テーブルを参照して、図柄「−」を停止図柄として選択するようになっている。
特別図柄決定手段140は、図柄選択手段146が特別図柄を選択すると、その特別図柄についてのデータである特別図柄データを表示制御手段160へ送出するようになっている。
パターン選択手段144には、特別図柄の変動表示における変動の開始から停止までの間に特別図柄の変動すべき態様を定める複数種類の変動パターンが記憶されている。これら複数種類の変動パターンは、一の変動パターンを選択するための変動抽選値に関連づけされた状態でパターン選択手段144に記憶されたものとなっている。
【００７６】
そして、パターン選択手段144は、それ自身に記憶された変動パターンの中から当否抽選手段112の抽選結果及び確率変動抽選手段115に応じた複数種類の変動パターンを絞り込んで抽出した後、所定の乱数発生手段が発生する乱数を、変動パターンを選択するための変動抽選値として取得し、この変動抽選値に対応した変動パターンを抽出した複数種類の変動パターンの中から選択するものとなっている。
ここで、パターン選択手段144に記憶されている複数種類の変動パターンの各々には、変動の開始から停止まで図柄の変動が継続する継続時間である変動時間が設定され、当該変動時間等の図柄変動に係る変動パターン・データが備えられている。
【００７７】
例えば、当否抽選手段112の抽選結果が外れである場合、装飾図柄表示装置20によるリーチ演出を伴わない通常の外れ変動パターンの変動時間は、短く設定されている。一方、当否抽選の結果が外れである場合でも、リーチ演出を伴うリーチ付外れ変動パターンは、リーチ演出を行う都合上、その変動時間は、通常の外れ変動パターンよりもかなり長く設定されている。
また、当たり変動パターンは、リーチ付外れ変動パターンと同様に、リーチ演出を伴うので、リーチ演出を行う都合上、その変動時間は、通常の外れ変動パターンよりも長く設定されている。
【００７８】
以上のような変動パターンの各々には、図柄の変動が開始された時点から、所定の変動時間が経過したら、変動表示されていた図柄が停止表示されるように、変動時間が設定され、このような変動時間を含む変動パターン・データが備えられている。換言すると、特別図柄の変動パターンの変動時間は、特別図柄の変動表示の終了条件になっている。
これにより、特別図柄の変動パターン・データに含まれている変動時間に基づいて遊技の演出を行うことにより、遊技演出の終了時期が特別図柄の図柄変動の終了時期と同期するようになっている。
このため、特別図柄決定手段140は、パターン選択手段144が特別図柄の変動パターンを選択すると、その変動パターンについて、変動時間やリーチ付である等のデータを含む変動パターン・データを、装飾図柄決定手段132及び表示制御手段160等へ送出するようになっている。
【００７９】
装飾図柄決定手段132は、装飾図柄表示装置20において図柄を変動表示させる際の変動パターンを選択するパターン選択手段136と、装飾図柄表示装置20において変動表示させていた図柄を停止させた際に表示させる停止図柄を選択する図柄選択手段146とを備えたものとなっている。
図柄選択手段146は、当否抽選手段112により抽選された抽選結果、並びに、特別図柄決定手段140により決定された特別図柄の停止図柄及び特別図柄の変動パターンに対応するように、装飾図柄表示装置20に表示される装飾図柄の停止図柄を選択するものとなっている。
【００８０】
ここで、図柄選択手段146が選択する装飾図柄の停止図柄は、当否抽選手段112による抽選結果等に対応して選択された三つの図柄が組み合わされたものとなっている。
例えば、当否抽選手段112による抽選結果が当たりの場合、図柄選択手段146は、装飾図柄の停止図柄として、「七七七」や「一一一」のように同一の図柄が三つ揃った組合せを選択するようになっている。また、この場合、図柄選択手段146は、装飾図柄の停止図柄を構成する一の図柄として、特別図柄の停止図柄と同じ図柄を採用するようになっている。例えば、特別図柄の停止図柄が「三」の場合、図柄選択手段146は、装飾図柄の停止図柄として、「三三三」を選択するようになっている。
【００８１】
一方、当否抽選手段112による抽選結果が外れの場合において、特別図柄決定手段140によってリーチ演出を伴わない通常の外れ変動パターンが選択されたときには、図柄選択手段146は、装飾図柄の停止図柄として、「三一二」や「九四六」のように三つの図柄が揃っていない組合せを選択するようになっている。
また、外れの場合において、特別図柄決定手段140によってリーチ演出を伴うリーチ付外れ変動パターンが選択されたときには、図柄選択手段146は、装飾図柄の停止図柄として、「一九一」や「七二七」のように一つの図柄のみが他と相違する組合せを選択するようになっている。
【００８２】
パターン選択手段136は、装飾図柄の変動表示における変動の開始から停止までの間に装飾図柄の変動すべき態様を定める複数種類の変動パターンが記憶されたものとなっている。そして、パターン選択手段136は、特別図柄決定手段140により決定された特別図柄の停止図柄及び特別図柄の変動パターンに応じて、それ自身に記憶された複数種類の変動パターンの中から一の変動パターンを選択するものとなっている。
ここで、装飾図柄の変動パターンとしては、図柄変動を開始してから、三つの図柄のうち、二つの図柄が同じ図柄となったリーチ状態の表示を経て、当たり図柄としての停止図柄に至る当たり変動パターンと、図柄変動を開始してから、リーチ状態の表示を経て、外れ図柄としての停止図柄に至るリーチ演出付外れ変動パターンと、図柄変動を開始してから、リーチ状態の表示を経ることなく、外れ図柄としての停止図柄に至る通常の外れ変動パターンとが設定されている。
【００８３】
これら当たり変動パターン、リーチ演出付外れ変動パターン及び通常の外れ変動パターンの各々には、変動の内容である変動態様に応じて、変動の開始から停止までの継続時間である変動時間が設定されている。なお、装飾図柄の変動パターンの変動時間は、図柄の変動表示の終了条件になっている。
そして、リーチ演出付外れ変動パターンとしては、そのリーチ演出の内容に応じて変動時間の長さが異なる様々な変動パターンが設定されている。
以上において、パターン選択手段136は、複数種類の変動パターンの中から一の変動パターンを選択するにあたり、特別図柄決定手段140側のパターン選択手段144によって選択された特別図柄の変動パターンに設定されている変動時間と同じ変動時間が設定されているものを、装飾図柄の変動パターンとして選択するようになっている。
【００８４】
普通図柄決定手段148は、始動入賞口12を開放する旨を報知するために装飾図柄表示装置20に表示される普通図柄を決定するものである。すなわち、普通図柄決定手段148には、普通図柄を決定するための普通図柄抽選値に関連づけされて、複数種類の普通図柄が記憶されている。
そして、普通図柄決定手段148は、入球検知手段105が始動入賞口12に遊技球が入賞したと判定すると、所定の乱数発生手段が発生する乱数を、普通図柄を決定するための普通図柄抽選値として取得し、それ自身に記憶されている複数種類の普通図柄のうち、普通図柄抽選値に対応するものを表示すべき普通図柄に決定するものとなっている。普通図柄決定手段148が決定した普通図柄が予め設定されていた当たり図柄の場合には、開放指令信号が普通電動役物開閉制御手段192へ送出されるようになっている。
【００８５】
開放指令信号を受信した普通電動役物開閉制御手段192は、始動入賞口12の普通電動役物の開放するようになっている。
図２に戻って、表示制御手段160は、図柄決定手段130により決定された変動パターンに基づく図柄変動の形で、当否抽選手段112による抽選の結果を表示するように、特別図柄表示装置200及び装飾図柄表示装置20の表示動作を制御するものとなっている。
表示制御手段160には、図７に示すように、特別図柄表示装置200の表示動作を制御する特別図柄表示装置制御手段161と、装飾図柄表示装置20の表示動作を制御する装飾図柄表示装置制御手段162とが設けられている。
【００８６】
なお、装飾図柄表示装置制御手段162は、特別図柄の変動表示及び停止表示を特別図柄表示装置200に行わせる制御機能に加えて、遊技効果ランプ30の点灯及び消灯を行う制御機能を有するものとなっている。
また、装飾図柄表示装置制御手段162は、装飾図柄の変動表示及び停止表示を装飾図柄表示装置20に行わせる制御機能に加えて、普通図柄の表示を行う制御機能を有するものとなっている。
図２に戻って、保留制御手段170は、当選抽選手段110の抽選結果に関する情報を記憶するものである。また、保留制御手段170は、始動入賞口12に遊技球が入球してから、当選抽選手段110の抽選結果が、装飾図柄表示装置20に表示されるまでに、次の遊技球が入球した場合に、当選抽選手段110の抽選結果に関する情報を、所定の個数、記憶する。
【００８７】
また、本実施の形態では、保留制御手段170は、特別遊技中に、遊技球が始動入賞口12に入球した場合も、当選抽選手段110の抽選結果に関する情報を記憶する。
ここで、保留制御手段170に記憶される、当選抽選手段110の抽選結果に関する情報とは、特別遊技に当選したか否かを判定する当否抽選値取得手段113により取得された当否抽選値、確率変動遊技に移行するか否かを判定する確率変動抽選値取得手段116により取得された確率変動抽選値、及び、装飾図柄表示装置20等における演出パターンを判定するいパターン選択手段136により取得された変動抽選値等である。
また、保留制御手段170が記憶する、当選抽選手段110の抽選結果に関する情報の、所定の個数を、本実施の形態では、４個としている。
【００８８】
また、遊技球が始動入賞口12へ入球してから、当選抽選手段110が、遊技球が始動入賞口12に入球してから、当選抽選手段110の抽選結果を、装飾図柄表示装置20が表示するまでに、次の遊技球が始動入賞口12に入球した場合は、次の遊技球に関する、当選抽選手段110の抽選結果は、表示されず、いわゆる保留状態になっている。また、保留制御手段170に記憶されている当選抽選手段110の抽選結果に関する情報を、一般的に保留球と称している。
例えば、第１の遊技球が、始動入賞口12に入球し、その入球に対応する当選抽選手段110の抽選結果が、装飾図柄表示装置20に表示される前に、第１の遊技球の次の遊技球である第２の遊技球が、始動入賞口12に入球した場合、この第２の遊技球に対応する当選抽選手段110の抽選結果に関する情報が、保留制御手段170に記憶され、いわゆる保留状態となる。そして、この第２の遊技球に対応する抽選結果が保留状態となっている状態で、第２の遊技球の次の遊技球である第３の遊技球が入球した場合、第２の遊技球に対応する当選抽選手段110の抽選結果に関する情報とともに、第３の遊技球に対応する当選抽選手段110の抽選結果の関する情報も、保留制御手段170に記憶され、いわゆる保留状態となる。このとき、保留制御手段170に記憶されている、当選抽選手段110の抽選結果に関する情報は、２個になる。そして、第１の遊技球に対応する当選抽選手段110の抽選結果が、装飾図柄表示装置20に表示されると、保留制御手段170に記憶されている第２の遊技球に対応する当選抽選差手段110の抽選結果に関する情報に基づき、次の第２の遊技球に対応する当選抽選手段110の抽選結果が、装飾図柄表示装置20に表示される。このとき、保留制御手段170に記憶されている当選抽選手段110の抽選結果に関する情報の個数は、抽選結果が、装飾図柄表示装置20に表示される度に、１個づつ減少する。第２の遊技球にかかる当選抽選手段110の抽選結果が、装飾図柄表示装置20に表示されると、次の第３の遊技球に対応した当選抽選手段110の抽選結果が、保留制御手段170に記憶されている当選抽選手段110の抽選結果に関する情報に基づき、第３の遊技球に対応する当選抽選手段110の抽選結果が装飾図柄表示装置20に表示される。また、第１の遊技球に対応する当選抽選手段110の抽選結果が表示され、第２の遊技球に対応する当選抽選手段110の抽選結果が、装飾図柄表示装置20に表示される前に、第４の遊技球が始動入賞口12に入球した場合、第３の遊技球に対応する当選抽選手段110の抽選結果に関する情報ともに、第４の遊技球に対応する当選抽選手段110の抽選結果の関する情報も、保留制御手段170に記憶され、いわゆる保留状態となる。このときも、保留制御手段170に記憶されている、当選抽選手段110の抽選結果に関する情報は、２個になる。そして、このような、装飾図柄表示装置20による当選抽選手段110の抽選結果の表示と、保留制御手段170による当選抽選手段110の抽選結果に関する情報の記憶が、遊技球が始動入賞口12に入球するごとに、順次繰り返される。
【００８９】
また、特別遊技中に、遊技球が始動入賞口12へ入球しても、特別遊技中は、当選抽選手段110の抽選結果を、装飾図柄表示装置20が表示せず、同様に保留状態になっている。
そして、特別遊技終了後に、保留制御手段170に記憶されている始動入賞口12に入球した次の遊技球にかかる当選抽選手段110の抽選結果が、所定の演出パターンに基づき、装飾図柄表示装置20に表示される。
また、保留制御手段170は、当選抽選手段110の抽選結果に関する情報を、所定の個数である４個記憶するが、保留制御手段170が記憶する当選抽選手段110の抽選結果に関する情報の数が、所定の個数である４個に達すると、次に、遊技球が始動入賞口12へ入球しても、当選抽選手段110は、当選又は非当選の抽選を行わない。言い換えると始動入賞口12への入球が無効となる。そして、保留制御手段170に記憶されている当選抽選手段110の抽選結果に関する情報に基づき、装飾図柄表示装置20が、当選抽選手段110の抽選結果を表示すると、保留制御手段170に記憶している、当選抽選手段110の抽選結果に関する情報の個数が減り、再度、所定の個数に達しない状態になる。その状態で遊技球が始動入賞口12へ入球すると、当選抽選手段110は、当選又は非当選を決定するための抽選を行うようになる。
【００９０】
また、保留制御手段170は、遊技球が上部始動入賞口12aに入球した場合の当選抽選手段110の抽選結果に関する情報を記憶する第１保留制御手段170aと、遊技球が下部始動入賞口12cに入球した場合の当選抽選手段110の抽選結果に関する情報を記憶する第２保留制御手段170bとを備えている。すなわち、保留制御手段170は、上部始動入賞口12a及び下部始動入賞口12cごとに、当選抽選手段110の抽選結果を所定の個数記憶する。
また、本実施の形態では、第1保留制御手段170aが記憶する、当選抽選手段110の抽選結果に関する情報の個数を４個とし、第２保留制御手段170ｂが記憶する、当選抽選手段110の抽選結果に関する情報の個数を、第１保留制御手段170aを４個としている。
【００９１】
ここで、第１保留制御手段170a及び第２保留制御手段170bが記憶する当選抽選手段110の抽選結果に関する情報の所定の個数を、遊技状態によって、変更するように形成しても良い。また、遊技状態とは、特別遊技中や確率変動遊技中等をいう。例えば、特別遊技中は、第１保留制御手段170a及び第２保留制御手段170bが記憶する当選抽選手段110の抽選結果に関する情報の所定の個数を、通常の４個から８個に増やすように形成しても良い。このように形成すると、特別遊技中等の、保留状態の時間が長いような場合でも、保留制御手段170が記憶する当選抽選手段110の抽選結果に関する情報の個数が、所定の個数に達するまで時間を要し、始動入賞口12へ遊技球が入球した場合に、無効となることが少なくなる。したがって、遊技者は、飽きることなく遊技をすることができる。
【００９２】
また、第１保留制御手段170aが記憶する、当選抽選手段110の抽選結果に関する情報の個数を４個とし、第２保留制御手段170bが記憶する、当選抽選手段110の抽選結果に関する情報の個数を８個とするように、第１保留制御手段170a及び第２保留制御手段170bが記憶する当選抽選手段110の抽選結果に関する情報の個数を、それぞれ異なるようにしても良い。これにより、上部始動入賞口12a、又は下部始動入賞口12cのうち、どちらか一方の、保留制御手段170が記憶する当選抽選手段110の抽選結果が、所定の個数である4個に達した場合であっても、所定の個数である４個に達していない他方の始動入賞口12に遊技球が入球すれば、当選抽選手段110の抽選が行われる。
【００９３】
特別遊技制御手段180は、当否抽選手段112による抽選結果が当たりの場合に、遊技を通常の遊技から特別遊技へ移行させ、特別遊技における動作を制御するものである。
この特別遊技制御手段180には、図８に示すように、特別遊技へ移行する時期を判定する特別遊技移行判定手段182と、特別遊技の遊技における構成単位である単位遊技を行うための単位遊技実行手段184と、特別遊技を終了するか否かを判定する特別遊技終了手段186とが設けられている。
特別遊技移行判定手段182は、抽選結果が当たりとなった当否抽選に対応する図柄変動が停止された時点を特別遊技へ移行する時期であると判定するものである。
【００９４】
単位遊技実行手段184は、特別遊技において複数回連続的に繰り返される大入賞口13の開閉動作の一回を単位遊技の一回と判定し、この単位遊技が上限となる回数に達するまで、大入賞口開閉制御手段194に開放許可指令を送信し続けるものである。
具体的には、単位遊技実行手段184は、大入賞口13の開閉動作回数をカウントし、当該開閉動作回数が９回に達するまで、大入賞口開閉制御手段194への開放許可指令の送信を継続し、大入賞口開閉制御手段194に大入賞口13の開閉動作を行わせるものとなっている。
特別遊技終了手段186は、単位遊技の実行回数、換言すると、大入賞口13の開閉動作回数が上限（例えば、１５回）に達すると、特別遊技を終了させるものである。
【００９５】
また、特別遊技終了手段186 には、単位遊技の実行回数が上限に達していなくとも、所定の強制終了条件が成立した場合にも、特別遊技を終了させるものとなっている。
例えば、大入賞口13の内部に特定領域及び一般領域が設けられ、大入賞口13に入賞した遊技球が特定領域及び一般領域のいずれか一方を必ず通過するものとなっている場合において、特別遊技終了手段186は、大入賞口13に所定数の遊技球が入賞するまでに、遊技球が１球も特定領域を通過しないときには、特別遊技を終了させるものとなっている。
普通電動役物開閉制御手段192は、装飾図柄表示装置20に表示される普通図柄に応じて、始動入賞口12の普通電動役物を開閉駆動する普通電動役物ソレノイド16を制御するものとなっている。
【００９６】
例えば、装飾図柄表示装置20に普通図柄が特定の図柄で停止表示された場合、普通電動役物開閉制御手段192は、始動入賞口12に遊技球が入賞しやすくなるように、普通電動役物ソレノイド16を駆動し、普通電動役物を開放状態にするようになっている。
確率変動遊技制御手段190は、確率変動抽選手段115による抽選で確率変動遊技へ移行することが決定すると、特別遊技の終了後の遊技状態を、当たり確率の高い確率変動状態、すなわち、確率変動遊技へ移行させるものである。そして、確率変動遊技制御手段190は、確率変動遊技へ移行させた後、原則として、当否抽選手段112による抽選で当たりがでるまで、当たり確率の高い状態を継続するようになっている。なお、当たり確率の高い確率変動遊技へ移行したことは、次に説明する報知手段92により遊技者に報知されるようになっている。
【００９７】
報知手段92は、特別図柄表示装置200、装飾図柄表示装置20、特定表示装置24、スピーカ17及び遊技効果ランプ30のうち、少なくともいずれか一つを利用して、視覚的又は聴覚的な報知を遊技者に対して行うものである。
ここで、報知手段92が報知に利用する手段や方法、及び、報知のタイミングを決定するために、表示方法決定手段122が設けられている。
表示方法決定手段122は、当否抽選手段112の抽選結果が当たりである場合において、確率変動抽選手段115の抽選により確率変動遊技へ移行することになったときに、確率変動遊技へ移行する旨を遊技者にいつ報知するかを決定する。換言すると、確率変動遊技移行報知のタイミングを決定する機能を有している。
【００９８】
大入賞口開閉制御手段194は、大入賞口13の扉部材を開閉駆動する大入賞口ソレノイド13bを制御するものである。大入賞口開閉制御手段194は、特別遊技が実行されると、大入賞口ソレノイド13bに電気信号を送ることにより、それまで開口部を閉止していた扉部材を作動させ、開口部を開放状態にすることにより、遊技者に有利な遊技状態が提供されるようになっている。
振分装置制御手段210は、振分装置40の作動を制御するものである。振分装置制御手段210は、振分装置40のソレノイドに電気信号を送ることにより、揺動軸を中心に、振分部材40aの塞部40bを左右に揺振させて、遊技球の振り分けを可能としている。
【００９９】
また、振分装置制御手段210は、図９に示すように振分抽選手段211と、振分装置実行手段219とを有している。
振分抽選手段211は、振分装置40の塞部40bを左右どちらの位置に移動させるかを判定するためのものである。振分抽選手段211は、図９に示すように、振分乱数発生手段212と、振分乱数抽出手段213と、振分抽選テーブル214と、テーブル選択手段215と、振分抽選判定手段216とを有している。
振分乱数発生手段212は、振分抽選手段211が抽選を行うために用いる乱数を、発生させるものである。
【０１００】
振分乱数抽出手段213は、上部始動入賞口12aへの入賞を契機として、振分乱数発生手段212から、振分抽選値としての乱数を取得するものである。なお、上記した当選抽選値取得手段113により取得された乱数を、振分抽選値として用いても良い。つまり、当選抽選用の乱数と振分抽選用の乱数を共用しても良い。
振分抽選テーブル214は、振分乱数発生手段212が発生する範囲内の乱数について、振分装置40の塞部40bを左右どちらに移動させるかを、予め定めたものである。つまり、振分抽選テーブル214は、振分乱数取得手段213により取得され得る各乱数（振分抽選値）について、振分装置40の塞部40bを左右どちらに移動させるかを、予め定めている。
【０１０１】
また、振分抽選テーブル214は、第１振分抽選テーブルと、第１振分抽選テーブルとは、塞部40bを左右どちらに移動させるかの定めの比率を異にする第２振分抽選テーブルとの２つのテーブルを有している。つまり、第１振分抽選テーブルは、振分乱数発生手段212が発生する範囲内の乱数について、塞部40bを左方の所定の位置へ移動させる旨及び右方の所定の位置へ移動させる旨を所定の比率で定めている。また、第２振分抽選テーブルは、振分乱数発生手段212が発生する範囲内の乱数について、塞部40bを左方の所定の位置へ移動させる旨の比率を第１振分抽選テーブルより低く、及び塞部40ｂを右方の所定の位置へ移動させる旨の比率を第１振分抽選テーブルよりも高く定めている。具体的には、第１振分抽選テーブルは、塞部40bを左方の所定の位置に移動させる旨の定めの比率を８０％に、右方の所定の位置に移動させる旨の定めの比率を２０％になるように定めている。また、第２振分抽選テーブルは、塞部40bを左方の所定の位置に移動させる旨の定めの比率を２０％に、右方の所定の位置に移動させる旨の定めの比率を８０％になるように定めている。
【０１０２】
したがって、第1振分抽選テーブルでは、遊技球が第２落下通路47へ導かれる確率が８０％となり、遊技球が第１落下通路45へ導かれる確率が２０％となる。また、第２振分抽選テーブルでは、遊技球が第２落下通路47へ導かれる確率が２０％となり、遊技球が第１落下通路45へ導かれる確率が８０％となる。
テーブル選択手段215は、当選抽選手段110の当否判定に基づき、振分抽選テーブル214のうちの第1振分抽選テーブルを用いるか、振分抽選テーブル214のうちの第２振分抽選テーブルを用いるかを選択するものである。当選抽選手段110の当否判定が当選であった場合には、第１振分抽選テーブルが選択され、当選抽選手段110の当否判定が非当選であった場合には、第２振分抽選テーブルが選択される。
【０１０３】
振分抽選判定手段216は、振分乱数抽出手段213が取得した乱数（振分抽選値）と、
テーブル選択手段215により選択されたテーブルとを参照し、遊技球を第１落下通路45に導くのか、第２落下通路47に導くのかを判定するものである。
振分装置実行手段219は、振分抽選手段211により判定された結果に基づき、振分装置40のソレノイドに電気信号を送り、揺動軸を中心に、振分装置40の振分部材40aの塞部40bを左右に揺振させて、遊技球の振り分けを実行するものである。
また、振分装置制御手段210は、第１保留制御手段170a及び第２保留制御手段170bの少なくとも一方に記憶される当選抽選手段110の抽選結果に関する情報が、４個に達した場合に、上部始動入賞口12aに入球した遊技球を、すべて第２落下通路47へ誘導するように、振分装置40の動作を制御している。
【０１０４】
具体的には、振分装置制御手段210は、第１保留制御手段170a及び第２保留制御手段170bの少なくとも一方に記憶される当選抽選手段110の抽選結果に関する情報が、４個に達しているか否かを判定し、４個に達していると判定した場合には、塞部40bを左の位置に移動して、すべての遊技球を第２落下通路47へ導くように、振分装置40の動作を制御するように設定されている。また、図１２におけるステップ２１８０においては、振分装置制御処理が行われるが、このとき、第１保留制御手段170a及び第２保留制御手段170bの少なくとも一方に記憶される当選抽選手段110の抽選結果に関する情報が、４個に達しているか否かの判定も行われ、４個に達していると判定された場合には、上部始動入賞口12aへの入球したすべての遊技球を第２落下通路47に導くような制御を行っている。
【０１０５】
また、振分装置制御手段210は、確率変動遊技中には、上部始動入賞口12aに入球した遊技球を、すべて第２落下通路47へ誘導するように、振分装置40の動作を制御している。
具体的には、振分装置制御手段210は、確率変動遊技中であるか否かを判定し、確率変動遊技中であると判定した場合には、塞部40bを左の位置に移動して、すべての遊技球を第２落下通路47へ導くように、振分装置40の動作を制御するように設定されている。また、図１２におけるステップ２１８０においては、振分装置制御処理が行われるが、このとき、確率変動遊技中か否かの判定も行われ、確率変動遊技中であると判定された場合には、上部始動入賞口12aへの入球したすべての遊技球を第２落下通路47に導くような制御を行っている。
【０１０６】
（弾球遊技機の動作）
次に、本実施の形態に係るパチンコ機PMの動作について、図１０ないし図１５のフローチャートを参照しながら説明する。
まず、遊技者がパチンコ機PMの遊技を開始すると、通常は、図１０の如く、ステップS１０００から始まる通常遊技制御処理が実行され、これにより、遊技者は通常遊技を行う。この通常遊技で遊技者が所定の条件を成立させると、ステップ４０００から始まる特別遊技制御処理が実行され、遊技者は、出球の確率が通常遊技よりも高い特別遊技を行うことができる。この後、通常遊技及び特別遊技における入賞に対応した賞球を払い出すべく、ステップ５０００から始まる賞球払出処理が行われる。
【０１０７】
ステップ１０００から開始される通常遊技処理においては、図１１に示すように、まず、ステップ２０００から開始されるとともに、始動入賞口12への入賞に対応した抽選の当否を判定する当否判定処理が行われる。当選抽選処理が終了すると、次のステップ２８００は進む。
ステップ２８００では、図柄の変動表示を開始し、この変動表示を所定時間継続させた後、変動表示させた図柄を適宜停止させる通常図柄変動処理を行う。図柄変動処理が終了すると、次のステップ３０００へ進む。
ステップ３０００では、特別遊技に移行するか否かを判定する移行判定処理が行われる。移行判定処理が終了すると、ステップ４０００から始まる特別遊技制御処理へ進む。
【０１０８】
ステップ２０００から開始される当否判定処理は、図１２に示すように、まず、ステップ２１００において、上部入賞検出器12b又は下部入賞検出器12dにより、始動入賞口12としての上部始動入賞口12a、又は始動入賞口12としての下部始動入賞口12cに、遊技球が入賞したか否かが検出される。このステップ２１００で、始動入賞口12への入賞が検出されない場合は、ステップ２２００へジャンプする。
一方、ステップ２１００で、上部入賞検出器12b又は下部入賞検出器12dにより、始動入賞口12への入賞が検出されると、その検出信号が遊技制御装置100に送出され、検出信号の送出が完了すると、ステップ２１１０へ進む。
【０１０９】
このステップ２１１０では、保留制御手段170が記憶する当選抽選手段110の当選結果に関する情報が、４個に達しているか否かが判定され、４個に達していると判定された場合は、ステップ２１６０へジャンプする。
一方、ステップ２１１０で、保留制御手段170が記憶する当選抽選手段110の当選結果に関する情報が、４個に達しているか否かが判定され、４個に達していないと判定された場合は、次のステップ２１２０へ進む。
ステップ２１２０では、上記した始動入賞口12への入賞に対応した当否抽選を行うために、当否抽選用の乱数である当否抽選値を当否抽選値取得手段113に取得させ、抽選用乱数を取得が完了したら、次のステップ２１３０へ進む。
【０１１０】
ステップ２１３０では、確率変動遊技に移行するか否かを決定する抽選を行うために、当該抽選用の乱数である確率変動抽選値を確率変動抽選値取得手段116に取得させ、確率変動抽選値の取得が完了したら、次のステップ２１４０へ進む。
ステップ２１４０では、特別図柄表示装置200に表示すべき図柄変動の変動パターンを決めるための乱数である変動抽選値をパターン選択手段144に取得させ、変動抽選値の取得が完了したら、次のステップ２１６０へ進む。なお、ステップ２１４０では、特別図柄表示装置200に停止表示すべき停止図柄を決めるための乱数である図柄決定抽選値を図柄選択手段146に取得させる処理も行われる。
【０１１１】
ステップ２１６０では、始動入賞口12への入賞が、上部始動入賞口12aへの入賞か否かが判定される。上部始動入賞口12aへの入賞でなかった場合には、つまり、下部始動入賞口12cへの入賞であった場合には、ステップ２２００へジャンプする。一方、上部始動入賞口12aへの入賞であった場合には、次のステップ２１７０へ進む。
ステップ２１８０では、振分装置制御処理が行われる。ステップ２１８０では、上部始動入賞口12aへの入賞に基づき、振分装置制御手段210により、振分装置40の制御が行われる。具体的には、上記当選抽選手段110により当選（特別遊技に移行する）と判定された場合は、第２落下通路47に導かれる確率を８割程度とし、第1落下通路45に導かれる確率を２割程度となるような制御を行う。上記当選抽選手段110により非当選時（特別遊技に移行しない）と判定された場合には、第２落下通路47に導かれる確率を２割程度とし、第1落下通路45に導かれる確率を８割程度となるような制御を行う。なお、保留制御手段170に記憶される当選抽選手段110の抽選結果に関する情報の数が、４個に達している場合は、振分装置制御処理は、非当選のときに参照されるテーブルを用いて制御を行う。振分装置制御処理が終了したら、次のステップ２２００へ進む。また、振分装置制御手段210は、確率変動遊技中である場合には、上部始動入賞口12aに入賞するすべての遊技球を第２落下通路47に導くように制御する。
【０１１２】
ステップ２２００では、特別遊技フラグがオフであるか否かが判定される。換言すると、特別遊技が実行中であるか否かが判定される。
そして、特別遊技フラグがオフではないと判定された場合には、当否判定処理を終了し、特別遊技制御処理を実行すべく、ステップ４０００へジャンプする。一方、特別遊技フラグがオフであると判定された場合には、次のステップ２２１０へ進む。
このステップ２２１０では、保留制御手段170に、当選抽選手段110の抽選結果に関する情報が記憶されているか否かが判定され、当選抽選手段110の抽選結果に関する情報が、記憶されていないと判定された場合は、当否判定処理を終了し、特別遊技制御処理を実行すべく、ステップ４０００へジャンプする。
【０１１３】
一方、ステップ２２１０で、保留制御手段170に、当選抽選手段110の抽選結果に関する情報が記憶されているか否かが判定され、当選抽選手段110の抽選結果に関する情報が、記憶されていると判定された場合は、次のステップ２２２０へ進み、保留制御手段170に、記憶されている当選抽選手段110の抽選結果に関する情報の内の一つである当否抽選値に基づいて、当否判定手段114が当否判定を行う。この当否判定の完了後、次のステップ２２３０へ進む。
このステップ２２３０では、パターン選択手段144が取得した変動抽選値に基づいてパターン選択手段144が変動パターンを決定する。このようにして変動パターンが決定したら、次のステップ２２４０へ進む。
【０１１４】
ステップ２２４０では、ステップ２２２０において行われた当否判定の結果が当たりか否かの判断が行われる。このステップ２２４０において、外れの場合には、ステップ２３００へジャンプする一方、当たりの場合には、次のステップ２２５０へ進む。
ステップ２２５０では、ステップ２１３０において取得した確率変動抽選値に基づいて、確率変動判定手段117が確率変動遊技へ移行するか否かの判定を行う。この確率変動遊技移行についての判定の完了後、次のステップ２３００へ進む。
ステップ２３００では、特別図柄についての停止図柄を決めるためのテーブルを図柄選択手段146に選択させる。ここで、図柄選択手段146が当該テーブルを選択するにあたり、図柄選択手段146に停止図柄を取得させる図柄決定抽選値に基づいてテーブルが選択されるとともに、確率変動判定手段117による判定の結果に対応したテーブルが選択されるようになっている。このテーブルの選択が終了したら、次のステップ２３１０へ進む。
【０１１５】
ステップ２３１０では、図柄選択手段146 に選択させたテーブルと、図柄選択手段146に取得させた図柄決定抽選値とに基づいて、図柄選択手段146に特別図柄についての停止図柄を決定させる。この停止図柄の決定が終わったら、次のステップ２３２０へ進む。
ステップ２３２０では、ステップ２３１０で決定された特別図柄、ステップ２２３０で決定された変動パターン、及び、確率変動遊技へ移行するか否か等の各情報が、特別図柄表示装置200及び装飾図柄決定手段132へ送られる。この後、ステップ２３３０へ進む。
ステップ２３３０では、特別図柄決定手段140によって決定された特別図柄に対応するとともに、装飾図柄表示装置20に表示される停止表示される停止図柄としての装飾図柄を装飾図柄決定手段132に決定させる。停止図柄としての装飾図柄の決定が完了した後、ステップ２３４０へ進む。
【０１１６】
ステップ２３４０では、ステップ２３３０で決定した装飾図柄に対応するとともに、ステップ２２３０で決定した特別図柄の変動パターンと同じ変動時間（継続時間）を有する変動パターンを、パターン選択手段136に決定させる。この装飾図柄の変動パターンが決定したら、次のステップ２６００へ進む。
ステップ２６００では、特別遊技の演出を決定する特別遊技演出決定処理が行われ、この特別遊技演出決定処理が終了したら、ステップ２０００から始まった当否判定処理が完了するので、この後、ステップ２８００へ進み、図柄変動処理を開始する。
ステップ３０００から、確率変動遊技へ移行する旨の報知を図柄変動終了時に行うか否かを判定する移行判定処理が開始される。この移行判定処理では、図１３に示すように、最初に、ステップ３１００において、ステップ２２４０で行われた当否判定の結果が、「大当たり」（当たり）であるか否かの判定が行われる。
【０１１７】
このステップ３１００で、「大当たり」ではないと判定された場合には、移行判定処理を終了し、次の特別遊技制御処理を開始すべく、ステップ４０００へジャンプする。
一方、ステップ３１００で、「大当たり」であると判定された場合には、次のステップ３２００へ進む。
ステップ３２００では、ステップ２３１０で決定した停止図柄としての特別図柄が「３」及び「７」のいずれかであるか否かについて判断する。このステップ３２００で、特別図柄が「３」及び「７」のいずれかであると判断されたら、次のステップ３３００へ進む。一方、ステップ３２００で、特別図柄が「３」及び「７」のいずれでもないと判断されたら、次のステップ３３００をスキップしてステップ３４００へ進む。
【０１１８】
ステップ３４００では、特別遊技フラグをオンにするフラグオン処理を行う。このフラグオン処理が完了すると、ステップ３０００から開始された移行判定処理は完了し、次の特別遊技制御処理を実行すべく、ステップ４０００へ進む。
ステップ４０００から開始される特別遊技制御処理は、図１４に示すように、まず、ステップ４１００において、特別遊技フラグがオンであるか否かが判定される。このステップ４１００で特別遊技フラグがオンであると判定されなかった場合には、特別遊技制御処理は完了し、次の賞球払出処理を実行するために、ステップ５０００へジャンプする。
一方、ステップ４１００で特別遊技フラグがオンであると判定された場合には、次のステップ４１１０へ進む。
【０１１９】
ステップ４１１０では、特別遊技が既に開始されているか否かが判定される。このステップ４１１０で特別遊技が既に開始されていると判定された場合には、ステップ４１３０へジャンプする。一方、ステップ４１１０で特別遊技が開始されていないと判定された場合には、次のステップ４１２０へ進む。
ステップ４１２０では、装飾図柄表示装置20等を利用して特別遊技の演出を行うために特別遊技演出処理を開始する。この特別遊技演出処理が開始されたら、次のステップ４１３０へ進む。
ステップ４１３０では、大入賞口13が既に開いているか否かが判定される。このステップ４１３０で大入賞口13が既に開いていると判定された場合には、ステップ４１７０へジャンプする。一方、ステップ４１３０で大入賞口13が開いていないと判定された場合には、次のステップ４１４０へ進む。
【０１２０】
ステップ４１４０では、大入賞口13を開く処理を行い、大入賞口13が開いたら、次のステップ４１７０へ進む。
ステップ４１７０では、大入賞口13が開かれた時点から所定の開放時間が経過したか否かが判定される。このステップ４１７０で所定の開放時間が経過したと判定された場合には、ステップ４１９０へジャンプする。一方、ステップ４１７０で所定の開放時間が経過していないと判定された場合には、次のステップ４１８０へ進む。
ステップ４１８０では、大入賞口13への入球が９球以上になったか否か、換言すると、大入賞口13に入賞した遊技球が９個以上になったか否かが判定される。
【０１２１】
このステップ４１８０で大入賞口13への入球が９球以上になっていないと判定された場合には、大入賞口13の開放状態等、パチンコ機PMの現状を維持したまま、特別遊技制御処理を一応終了させ、ステップ５０００へ進み、ステップ５０００から始まる次の賞球払出処理等を実行する。そして、賞球払出処理の実行後、通常遊技制御処理における処理を殆どスキップして、ステップ４０００に戻り、再度、特別遊技制御処理が実行されるようになっている。
一方、ステップ４１８０で大入賞口13への入球が９球以上になっていると判定された場合には、次のステップ４１９０へ進み、大入賞口13を閉じる処理を行い、大入賞口13が閉じたら、次のステップ４２００へ進む。
【０１２２】
ステップ４２００では、現時点で単位遊技が実行された回数が８回に達したか否か、換言すると、現時点でのラウンド数が１５回に達したか否かが判定される。
ステップ４２００で、現時点でのラウンド数が１５に達していないと判定された場合には、ステップ４３００へ進み、ラウンド数に１を加えた後、パチンコ機PMの現状を維持したまま、特別遊技制御処理を一応終了させ、ステップ５０００へ進み、ステップ５０００から始まる次の賞球払出処理等を実行する。そして、賞球払出処理の実行後、通常遊技制御処理における処理を殆どスキップして、ステップ４０００に戻り、再度、特別遊技制御処理が実行されるようになっている。
【０１２３】
一方、ステップ４２００で、現時点でのラウンド数が１５回に達している判定された場合には、ステップ４２３０へ進む。
ステップ４２３０では、特別遊技フラグをオフにし、この後、特別遊技制御処理を終了させる。
ステップ４５００では、確率変動遊技への移行を実行する確率変動遊技移行処理が行われる。ステップ４５００の確率変動遊技移行処理が終了すると、ステップ５０００へ進み、ステップ５０００から始まる次の賞球払出処理等を実行する。以上により、パチンコ機PMにおける一連の処理が完了し、必要に応じて上記の処理が繰り返されることとなる。
【０１２４】
ステップ４５００から、確率変動遊技へ移行する確率変動遊技移行処理が開始される。この確率変動遊技移行処理では、図１４に示すように、最初にステップ４５１０において、確率変動遊技に移行するか否かの判断が行われる。そして、確率変動遊技へ移行すると判断された場合には、次のステップ４５２０へ進む。一方、確率変動遊技へ移行しないと判断された場合には、確率変動遊技移行処理は終了し、ステップ５０００へ進む。そして、ステップ５０００から始まる賞球払出処理等を実行する。
ステップ４５２０では、確率変動遊技に移行したことを遊技者に表示する確率変動遊技開始表示が行なわれる。確率変動遊技開始表示がされると、確率変動遊技移行処理は終了し、ステップ５０００へ進む。そして、ステップ５０００から始まる賞球払出処理等を実行する。
【０１２５】
（作用・効果）
本実施の形態によれば、遊技領域10に、上部始動入賞口12aと、上部始動入賞口12aの下方に位置する導入通路41と、導入通路41に連設され遊技球の通路を分岐させる分岐部43と、分岐部43に連設された第1落下通路45及び第２落下通路47と、第１落下通路45と第２落下通路47とを振り分ける振分装置40とを備え、第1落下通路45の一部及び第２落下通路47の一部は、遊技球が視認可能に形成されている。
また、振分装置40は、振分装置制御手段210により制御されている。
ここで、上部始動入賞口12aに入球したときに、当否判定手段114により、当否判定が行われる。また、振分装置40は、振分装置制御手段210により、当否判定の当選時には遊技球を第２落下通路47に多く振り分け、非当選時には遊技球を第１落下通路45に多く振り分けるように制御されている。
【０１２６】
また、第１落下通路45を形成する第１落下通路部材45a及び第２落下通路47を形成する第２落下通路部材48は、透明な材料で形成されている。また、装飾板21には、第１落下通路45の一部及び第２落下通路47の一部が遊技者から視認可能な透明部21aが設けらている。これにより、遊技球が第1落下通路45又は第２落下通路47のどちらかに振り分けられたかを、遊技者が視認することができる。したがって、遊技者は当選抽選手段110の抽選結果がある程度予測可能になり、装飾図柄表示装置20の演出以外に、遊技者に対し興味を抱かせる演出を行うことができる。
また、本実施の形態によれば、パチンコ機PMは、遊技領域10の中央上部に上部始動入賞口12aを備えている。また、上部始動入賞口12aは、遊技球がパチンコ機PMの発射装置から遊技領域10内に発射されるとき、遊技球が発射される強さによっては、直接、遊技球が当たることができる位置に設けられている。すなわち、遊技領域10の中央上部とは、遊技者が遊技球を発射する際に狙うことが可能な位置である。したがって、本実施の形態にかかるパチンコ機PMは、遊技領域10に、遊技者が遊技球を打ち込む狙どころを設けることができる。これにより、遊技者にとっての狙いどころを分かり易く示すことができ、遊技者に遊技に対する興味を抱かせることができる。
【０１２７】
また、本実施の形態によれば、保留制御手段170は、遊技球が、上部始動入賞口12aに入球した場合に、当選抽選手段110の抽選結果を記憶する第１保留制御手段170aと、遊技球が、上部始動入賞口12aに入球した場合に、当選抽選手段110の抽選結果を記憶する第１保留制御手段170bとを有している。したがって、上部始動入賞口12a、又は下部始動入賞口12cのうち、どちらか一方の、保留制御手段170が記憶する当選抽選手段110の抽選結果が、所定の個数である4個に達した場合であっても、遊技者が、所定の個数に達していない他方の始動入賞口12を狙うことができるようになり、遊技者の遊技に対する興味を抱かせることができる。
【０１２８】
また、本実施の形態では、保留制御手段170に記憶される当選抽選手段110の抽選結果に関する情報が、所定の個数である4個に達したとき、全ての遊技球を第１落下通路45又は第２落下通路47のいずれか一方に振り分けるようにした。したがって、保留制御手段170の記憶する抽選結果に関する情報が、所定の個数に達したことを遊技者に示唆することができる。
また、本実施の形態によれば、振分装置40は、振分装置制御手段210により、確率変動遊技中であると判定された場合には、全ての遊技球を第２落下通路47に振り分けるように制御されている。
【０１２９】
また、第１落下通路45を形成する第１落下通路部材45a及び第２落下通路47を形成する第２落下通路部材48は、透明な材料で形成されている。また、装飾板21には、第１落下通路45の一部及び第２落下通路47の一部が遊技者から視認可能な透明部21aが設けらている。これにより、第２落下通路47を流下する遊技球を遊技者が視認することができる。したがって、遊技者に対し確率変動遊技中であることを示唆することができ、遊技に対する興味を遊技者に抱かせることができる。また、第２落下通路47の下端部には、上部一般入賞口49を設けている。したがって、確率変動遊技における出玉の量を多くすることができる。これにより、確率変動遊技における遊技者の期待を高めることができ、遊技に対する興味を遊技者に抱かせることができる。
【０１３０】
また、第１落下通路45又は第２落下通路47を流下する遊技球が、視認可能となる他の実施の形態の変形例としては、以下のような場合が考えられる。
（１）第１落下通路45の一部は、その中を通る遊技球が、遊技者から視認可能に形成され、かつ、第２落下通路47の全部は、その中を通る遊技球が、遊技者から視認不能に形成されている場合。
（２）第１落下通路45の一部は、その中を通る遊技球が、遊技者から視認可能に形成され、かつ、第２落下通路47の一部は、その中を通る遊技球が、遊技者から視認可能に形成されている場合。
（３）第１落下通路45の一部は、その中を通る遊技球が、遊技者から視認可能に形成され、かつ、第２落下通路47の全部は、その中を通る遊技球が、遊技者から視認可能に形成されている場合。
（４）第１落下通路45の全部は、その中を通る遊技球が、遊技者から視認可能に形成され、かつ、第２落下通路47の全部は、その中を通る遊技球が、遊技者から視認不能に形成されている場合。
（５）第１落下通路45の全部は、その中を通る遊技球が、遊技者から視認可能に形成され、かつ、第２落下通路47の一部は、その中を通る遊技球が、遊技者から視認可能に形成されている場合。
（６）第１落下通路45の全部部は、その中を通る遊技球が、遊技者から視認可能に形成され、かつ、第２落下通路47の全部は、その中を通る遊技球が、遊技者から視認可能に形成されている場合。
（７）第１落下通路45の全部は、その中を通る遊技球が、遊技者から視認不能に形成され、かつ、第２落下通路47の一部は、その中を通る遊技球が、遊技者から視認可能に形成されている場合。
（８）第１落下通路45の全部部は、その中を通る遊技球が、遊技者から視認不能に形成され、かつ、第２落下通路47の全部は、その中を通る遊技球が、遊技者から視認可能に形成されている場合。
【０１３１】
このように形成しても、遊技者は、遊技球が第１落下通路45又は第２落下通路47のどちらの通路に振り分けられたかを視認することができる。したがって、遊技者は当選抽選手段110の抽選結果がある程度予測可能になり、装飾図柄表示装置20の演出以外に、遊技者に対し興味を抱かせる演出を行うことができる。
（第２の実施の形態）
（図面の説明）
以下、本発明を実施するための第２の実施の形態について、図面を用いて説明する。
図１６は、第２の実施の形態にかかる上部始動入賞口12a部分の拡大図である。
【０１３２】
第２の実施の形態は、振分装置40の構造が第１の実施の形態と相違する。振分装置40以外は、第１の実施の形態と同様である。したがって、本実施の形態では、振分装置40を中心に説明する。
第２の実施の形態にかかる振分装置40では、分岐部43付近の遊技盤7の裏側にソレノイドが取り付けられている（図示せず）。ソレノイドには、プランジャが備えられている（図示せず）。ソレノイドは、プランジャが、遊技盤7の裏面と平行で、左右方向へ向けて動くように、遊技盤7の裏面に取り付けられている（図示せず）。プランジャの先端付近には、釘42が取り付けられている。釘42は、図１６に示すように、前方向へ向けて突出して形成されている。また、プランジャの先端付近に取り付けられた釘42は、プランジャが動くことにより、分岐部43内を左右方向の所定の位置へ動くように形成されている。また、振分装置40は、図１６に示すように、釘42を、左方向の所定の位置（図１６の細線で記載された位置）に移動させると、左分岐部44bを塞ぐように形成されている。釘42が左分岐部44ｂを塞ぐと、第１落下通路45への遊技球の入球が阻止され、遊技球は第２落下通路47へ誘導される。また、振分装置40は、釘42を、右方向の所定の位置（図１６の実線で記載された位置）に移動させると、右分岐部44cを塞ぐように形成されている。釘42が右分岐部44cを塞ぐと、第２落下通路47への遊技球の入球が阻止され、遊技球は第１落下通路45へ誘導される。これにより、遊技球の振り分けが可能になる。また、釘42を左右方向へ向けて動かす振分装置40のソレノイドは、第１の実施例と同様に、振分装置制御手段210により制御されている。
【０１３３】
（作用・効果）
本実施の形態でも、第１の実施の形態と同様の作用・効果が得られる。
すなわち、本実施の形態によれば、遊技領域10に、上部始動入賞口12aと、上部始動入賞口12aの下方に位置する導入通路41と、導入通路41に連設され遊技球の通路を分岐させる分岐部43と、分岐部43に連設された第1落下通路45及び第２落下通路47と、第１落下通路45と第２落下通路47とを振り分ける振分装置40とを備え、第1落下通路45の一部及び第２落下通路47の一部は、遊技球が視認可能に形成されている。
また、振分装置40は、振分装置制御手段210により制御されている。
【０１３４】
ここで、上部始動入賞口12aに入球したときに、当否判定手段114により、当否判定が行われる。また、振分装置40は、振分装置制御手段210により、当否判定の当選時には遊技球を第２落下通路47に多く振り分け、非当選時には遊技球を第１落下通路45に多く振り分けるように制御されている。
また、第１落下通路45を形成する第１落下通路部材45a及び第２落下通路47を形成する第２落下通路部材48は、透明な材料で形成されている。また、装飾板21には、第１落下通路45の一部及び第２落下通路47の一部が遊技者から視認可能な透明部21aが設けらている。これにより、遊技機球が第1落下通路45又は第２落下通路47のどちらかに振り分けられたかを、遊技者が視認することができる。したがって、遊技者は当選抽選手段110の抽選結果がある程度予測可能になり、装飾図柄表示装置20の演出以外に、遊技者に対し興味を抱かせる演出を行うことができる。
【０１３５】
また、本実施の形態によれば、パチンコ機PMは、遊技領域10の中央上部に上部始動入賞口12aを備えている。また、上部始動入賞口12aは、遊技球がパチンコ機PMの発射装置から遊技領域10内に発射されるとき、遊技球が発射される強さによっては、直接、遊技球が当たることができる位置に設けられている。すなわち、遊技領域10の中央上部とは、遊技者が遊技球を発射する際に狙うことが可能な位置である。したがって、本実施の形態にかかるパチンコ機PMは、遊技領域10に、遊技者が遊技球を打ち込む狙どころを設けることができる。これにより、遊技者にとっての狙いどころを分かり易く示すことができ、遊技者に遊技に対する興味を抱かせることができる。
【０１３６】
また、本実施の形態によれば、振分装置40は、振分装置制御手段210により、確率変動遊技中であると判定された場合には、全ての遊技球を第２落下通路47に振り分けるように制御されている。
また、第１落下通路45を形成する第１落下通路部材45a及び第２落下通路47を形成する第２落下通路部材48は、透明な材料で形成されている。また、装飾板21には、第１落下通路45の一部及び第２落下通路47の一部が遊技者から視認可能な透明部21aが設けらている。これにより、第２落下通路47を流下する遊技球を遊技者が視認することができる。したがって、遊技者に対し確率変動遊技中であることを示唆することができ、遊技に対する興味を遊技者に抱かせることができる。また、第２落下通路47の下端部には、上部一般入賞口49を設けている。したがって、確率変動遊技における出玉の量を多くすることができる。これにより、確率変動遊技における遊技者の期待を高めることができ、遊技に対する興味を遊技者に抱かせることができる。
【０１３７】
また、筐体やパチンコ機の内部構造に合わせて、第１の実施の形態の振分装置40の構造と第２の実施の形態の振分装置40の構造とを、選択することができるのである。
【図面の簡単な説明】
【０１３８】
【図１】第１の実施の形態にかかるパチンコ機の正面図。
【図２】第１の実施の形態にかかるパチンコ機の正面拡大図。
【図３】第１の実施の形態にかかる上部始動入賞口部分の拡大図。
【図４】第１の実施の形態にかかる遊技制御装置の概略構成を示すブロック図。
【図５】第１の実施の形態にかかる当選抽選手段の概略構成を示すブロック図。
【図６】第１の実施の形態にかかる図柄決定手段の概略構成を示すブロック図。
【図７】第１の実施の形態にかかる表示制御手段の概略構成を示すブロック図。
【図８】第１の実施の形態にかかる特別遊技制御手段の概略構成を示すブロック図。
【図９】第1の実施の形態にかかる振分装置制御手段の概略構成を示すブロック図。
【図１０】第1の実施の形態にかかる遊技の動作全般を示すフロー図。
【図１１】第１の実施の形態にかかる通常遊技制御処理を示すフロー図。
【図１２】第１の実施の形態にかかる当否判定処理を示すフロー図。
【図１３】第１の実施の形態にかかる移行判定処理を示すフロー図。
【図１４】第１の実施の形態にかかる特別遊技制御処理を示すフロー図。
【図１５】第１の実施の形態にかかる確率変動遊技移行処理を示すフロー図。
【図１６】第２の実施の形態にかかる上部始動入賞口部分の拡大図。
【符号の説明】
【０１３９】
PM   パチンコ機
1     外枠                        2     前枠
3     ガラス扉                    4    上球皿
5     操作ハンドル                6     レール
7     遊技盤                      10    遊技領域
11    一般入賞口                  11a   一般入賞口入賞検出器
12    始動入賞口                  12a   上部始動入賞口
12b   上部入賞検出器              12c   下部始動入賞口
12d   下部入賞検出器
13    大入賞口                    13a   大入賞口入賞検出器
13b   大入賞口ソレノイド          14    アウト口
15    風車                        16    普通電動役物ソレノイド
17    スピーカ
20    装飾図柄表示装置            21    装飾板
21a   透明部                      30    遊技効果ランプ
40    振分装置                    40a   振分部材
40b   塞部                        40c   軸部
41    導入通路                    41a   導入通路部材
42    釘
43    分岐部                      44    分岐部材
44a   分岐前部                    44b   左分岐部
44c   右分岐部                    44d   又部
45    第１落下通路                45a   第１落下通路部材
47    第２落下通路                48    第２落下通路部材
48a   斜め通路部                  48b   屈曲通路部
48c   下方通路部                  49    上部一般入賞口
50    上部アウト口
90    特別遊技演出記憶手段        92    報知手段
100   遊技制御装置                105   入球検出手段
110   当選抽選手段                112   当否抽選手段
113   当否抽選値取得手段          114   当否判定手段
115   確率変動抽選手段            116   確率変動抽選値取得手段
117   確率変動判定手段            122   表示方法決定手段
130   図柄決定手段                132   装飾図柄決定手段
136   パターン選択手段            140   特別図柄決定手段
144   パターン選択手段            146   図柄選択手段
148   普通図柄決定手段
160   表示制御手段                161   特別図柄表示装置制御手段
162   装飾図柄表示装置制御手段    170   保留制御手段
170a  第１保留制御手段            170b  第２保留制御手段
180   特別遊技制御手段            182   特別遊技移行判定手段
184   単位遊技実行手段            186   特別遊技終了手段
190   確率変動遊技制御手段        192   普通電動役物開閉制御手段
194   大入賞口開閉制御手段        200   特別図柄表示装置
210   振分装置制御手段            211   振分抽選手段
212   振分用乱数発生手段          213   振分用乱数抽出手段
214   振分抽選テーブル            215   テーブル選択手段
216   振分抽選判定手段            219   振分装置実行手段
【図１】
2007202961.tif 000003
【図２】
2007202961.tif 000004
【図３】
2007202961.tif 000005
【図４】
2007202961.tif 000006
【図５】
2007202961.tif 000007
【図６】
2007202961.tif 000008
【図７】
2007202961.tif 000009
【図８】
2007202961.tif 000010
【図９】
2007202961.tif 000011
【図１０】
2007202961.tif 000012
【図１１】
2007202961.tif 000013
【図１２】
2007202961.tif 000014
【図１３】
2007202961.tif 000015
【図１４】
2007202961.tif 000016
【図１５】
2007202961.tif 000017
【図１６】
2007202961.tif 000018